(57)【要約】【課題】ＭＩＭＯ−ＯＦＤＭ通信システム内で取得、同期およびセル選択を行なうための方法および装置が提供される。【解決手段】検索ウインドウを決定するために粗同期が行なわれる。その後、信号サンプルのサブセット間の相関を測定するために微同期が行なわれる。信号サンプルのうちの最初の信号サンプルは、検索ウインドウ内にあり、周知の値である。相関は、受信信号の周波数領域で行なわれる。マルチ出力ＯＦＤＭシステムにおいて、ＯＦＤＭ送信機の各アンテナは、固有の周知の値を有する。周知の値は、連続するパイロットシンボルの対として送信され、パイロットシンボルの各対は、ＯＦＤＭフレーム内の副搬送波周波数の同じサブセットで送信される【選択図】図６
2005506757.tif 000002
【特許請求の範囲】
【請求項１】
複数のアンテナのそれぞれにおいてヘッダＯＦＤＭシンボルの副搬送波が副搬送波の非連続なセットに分割されるというヘッダシンボルフォーマットを送信するようになっており、
各アンテナは、副搬送波の各セット上でのみ前記ヘッダＯＦＤＭシンボルを送信する、ＭＩＭＯ−ＯＦＤＭ送信機。
【請求項２】
Ｎ個のアンテナが存在し、Ｎ個の副搬送波によって分離された副搬送波の異なるセットが前記複数のアンテナのそれぞれに対して割り当てられる、請求項１に記載のＭＩＭＯ−ＯＦＤＭ送信機。
【請求項３】
前記ヘッダシンボルは、前記複数のアンテナのそれぞれにおいて、専用パイロットチャネル副搬送波上に、多重化された専用パイロットチャネルを含むとともに、共通同期チャネル副搬送波上に、共通同期チャネルを含む、請求項１に記載のＭＩＭＯ−ＯＦＤＭ送信機。
【請求項４】
前記ヘッダＯＦＤＭシンボルは、前記複数のアンテナのそれぞれにおいて、多重化されたブロードキャスト副搬送波を更に含む、請求項３に記載のＭＩＭＯ−ＯＦＤＭ送信機。
【請求項５】
プレフィックスと、該プレフィックスの後に続き且つ前記ヘッダＯＦＤＭシンボルフォーマットを有する２つの同一のＯＦＤＭシンボルとを有するプリアンブルを送信するようになっている、請求項１に記載のＭＩＭＯ−ＯＦＤＭ送信機。
【請求項６】
前記プレフィックスは、前記２つの同一のＯＦＤＭシンボルの巡回拡張子である、請求項５に記載のＭＩＭＯ−ＯＦＤＭ送信機。
【請求項７】
前記専用パイロットチャネル副搬送波は、効率的なＢＴＳ識別を行なうことができるＢＴＳ固有のマッピングされた複合シーケンスを有する、請求項３に記載のＭＩＭＯ−ＯＦＤＭ送信機。
【請求項８】
前記共通同期チャネルは、高速で且つ正確な初期取得を行なえるように設計されている、請求項３のいずれか一つに記載のＭＩＭＯ−ＯＦＤＭ送信機。
【請求項９】
前記共通同期チャネルは、粗同期および微同期のために使用され、前記専用パイロットチャネルは、微同期のために使用される、請求項３に記載のＭＩＭＯ−ＯＦＤＭ送信機。
【請求項１０】
前記共通同期チャネルは、１つの送信機の送信アンテナ毎に異なるが通信ネットワーク内の様々な送信機の各送信アンテナに共通する複合シーケンスを送信するために使用される、請求項３に記載のＭＩＭＯ−ＯＦＤＭ送信機。
【請求項１１】
前記プリアンブルから始まるＯＦＤＭフレームを送信するようになっており、前記ＯＦＤＭフレームは、各ＯＦＤＭフレーム内の残りのＯＦＤＭシンボルにわたって分散パイロットを有する、請求項１に記載のＭＩＭＯ−ＯＦＤＭ送信機。
【請求項１２】
前記プリアンブル中、Ｎ個の送信アンテナのそれぞれにおいて、専用パイロットチャネル副搬送波が送信され、共通同期チャネル副搬送波が送信され、ブロードキャストチャネル副搬送波が送信される、請求項１に記載のＭＩＭＯ−ＯＦＤＭ送信機。
【請求項１３】
前記プリアンブルのＯＦＤＭシンボルの副搬送波は、所定の順序で配置される｛Ｎ個の送信アンテナのそれぞれにおける専用パイロットチャネル，Ｎ個の送信アンテナのそれぞれにおける共通同期チャネル副搬送波｝から成る繰り返しシーケンスとして編成される、請求項３に記載のＭＩＭＯ−ＯＦＤＭ送信機。
【請求項１４】
前記プリアンブルのＯＦＤＭシンボルの副搬送波は、所定の順序で配置される｛Ｎ個の送信アンテナのそれぞれにおける少なくとも１つの専用パイロットチャネル副搬送波，Ｎ個の送信アンテナのそれぞれにおける少なくとも１つの共通同期チャネル副搬送波，少なくとも１つのブロードキャストチャネル副搬送波｝から成る繰り返しシーケンスとして編成される、請求項４に記載のＭＩＭＯ−ＯＦＤＭ送信機。
【請求項１５】
ヘッダＯＦＤＭシンボルの副搬送波が複数のアンテナのそれぞれにおいて副搬送波の非連続なセットに分割されるというヘッダシンボルフォーマットを受信するようになっており、
各アンテナは、副搬送波の各セット上でのみ前記ヘッダＯＦＤＭシンボルを送信する、ＭＩＭＯ−ＯＦＤＭ受信機。
【請求項１６】
Ｎ個の送信アンテナから受信するようになっており、Ｎ個の副搬送波によって分離された副搬送波の異なるセットが複数の各送信アンテナに対して割り当てられる、請求項１５に記載のＭＩＭＯ−ＯＦＤＭ受信機。
【請求項１７】
前記ヘッダＯＦＤＭシンボルは、前記複数の送信アンテナのそれぞれにおいて、多重化された専用パイロットチャネル副搬送波と共通同期チャネル副搬送波とを含む、請求項１５に記載のＭＩＭＯ−ＯＦＤＭ受信機。
【請求項１８】
前記ヘッダＯＦＤＭシンボルは、前記複数のアンテナのそれぞれにおいて、多重化されたブロードキャスト副搬送波を更に含む、請求項１７に記載のＭＩＭＯ−ＯＦＤＭ受信機。
【請求項１９】
プレフィックスと、該プレフィックスの後に続き且つ前記ヘッダＯＦＤＭシンボルフォーマットを有する２つの同一のＯＦＤＭシンボルとを有するプリアンブルを受信するようになっている、請求項１５に記載のＭＩＭＯ−ＯＦＤＭ受信機。
【請求項２０】
前記専用パイロットチャネルは、ＢＴＳ固有のマッピングされた複合シーケンスを有し、本ＭＩＭＯ−ＯＦＤＭ受信機は、該専用パイロットチャネルに基づいてＢＴＳ識別を行なうようになっている、請求項１５に記載のＭＩＭＯ−ＯＦＤＭ受信機。
【請求項２１】
前記専用パイロットチャネルは、ＢＴＳ固有のマッピングされた複合シーケンスを有し、本ＭＩＭＯ−ＯＦＤＭ受信機は、該専用パイロットチャネルに基づいてＢＴＳ識別を行なうようになっている、請求項１９に記載のＭＩＭＯ−ＯＦＤＭ受信機。
【請求項２２】
前記ヘッダＯＦＤＭシンボルは、複数の送信アンテナのそれぞれにおいて、多重化された専用パイロットチャネル副搬送波と、共通同期チャネル副搬送波とを含み、本ＭＩＭＯ−ＯＦＤＭ受信機は更に、互いに同一の連続するＯＦＤＭシンボル間で相関ピークを探すことにより、前記共通同期チャネルにおいて粗同期を行なうようになっている、請求項２１に記載のＭＩＭＯ−ＯＦＤＭ受信機。
【請求項２３】
前記共通同期チャネル副搬送波及び／又は前記専用パイロットチャネル副搬送波に基づいて微同期を更に行なうようになっている、請求項２２に記載のＭＩＭＯ−ＯＦＤＭ受信機。
【請求項２４】
パケットデータフレーム構造を送信するようになっている送信機であって、
ネットワークの同期期間に対応する長さを有するスーパーフレームを備え、
前記スーパーフレームは、複数の無線フレームを含み、
各無線フレームは、適応コーディング及び変調期間に対応する複数のＴＰＳ（送信パラメータ信号）フレームを含み、
各ＴＰＳフレームは、エアーインタフェーススロットサイズに対応する複数のスロットを含み、
各スロットは複数のＯＦＤＭシンボルを含み、各ＯＦＤＭフレームの最初のＴＰＳフレームの最初のスロットの最初の２つのシンボルは、ヘッダＯＦＤＭシンボルとして使用される、送信機。
【請求項２５】
前記ヘッダＯＦＤＭシンボルは、該ヘッダＯＦＤＭシンボルの副搬送波が複数のアンテナのそれぞれにおいて副搬送波の非連続なセットに分割されるというヘッダＯＦＤＭシンボルフォーマットを有し、各アンテナは、副搬送波の対応するセット上でのみ前記ヘッダＯＦＤＭシンボルを送信する、請求項２４に記載の送信機。
【請求項２６】
前記ヘッダＯＦＤＭシンボルは、複数のアンテナのそれぞれにおいて、多重化された専用パイロットチャネル副搬送波を含むとともに、共通同期チャネル副搬送波を含む、請求項２４に記載の送信機。
【請求項２７】
前記ヘッダＯＦＤＭシンボルは、前記複数のアンテナのそれぞれにおいて、多重化されたブロードキャストチャネル副搬送波を更に含む、請求項２４に記載の送信機。
【請求項２８】
スロット持続時間が変わることなく且つスロットよりも上のフレーム構造を変えることなく１スロット毎に異なる数のＯＦＤＭシンボルを送信することにより、複数の異なるモードで送信するようになっている、請求項２４に記載の送信機。
【請求項２９】
１スロット当たりのＯＦＤＭシンボルの数が増大するモードは、サンプリング周波数を変えることなくＯＦＤＭシンボル持続時間およびＦＦＴサイズを短くすることにより実現される、請求項２８に記載の送信機。
【請求項３０】
ＴＰＳフレーム毎にユーザの各組に対して送信するとともに、どのユーザがＴＰＳフレーム全体を復調するべきかの信号をＴＰＳフレーム毎に送信するようになっている、請求項２４に記載の送信機。
【請求項３１】
請求項２４に記載の送信機によって送信されるＯＦＤＭフレームを受信して処理するようになっている受信機。
【請求項３２】
ＯＦＤＭ受信機で同期を行なう方法であって、
少なくとも１つの受信アンテナのそれぞれで、受信信号をサンプリングして、時間領域サンプルの各セットを形成し、
少なくとも１つの粗同期位置を決定し、
少なくとも１つの受信アンテナのそれぞれで、
ａ）前記少なくとも１つの粗同期位置のうちの１つに関する複数の候補微同期位置のそれぞれにおいて、
ｉ）受信アンテナ毎に、候補微同期位置に対してＦＦＴウインドウを位置決めするとともに、ＦＦＴにより、時間領域サンプルを周波数領域成分の各セットに変換し、
ｉｉ）前記少なくとも１つの送信アンテナそれぞれにおいて、周波数領域成分のセットから送信アンテナに対応する受信された各トレーニングシーケンスを抽出し、
ｉｉｉ）送信アンテナ毎に、受信された各トレーニングシーケンスと周知の各送信トレーニングシーケンスとの間の相関を計算し、
ｉｖ）少なくとも１つの送信アンテナにおいて相関を組み合わせて、候補同期位置毎に全体の相関結果を形成し、
ｂ）複数の相関値から微同期位置を決定し、
少なくとも１つの受信アンテナからの複数の微同期位置を組み合わせて全体の微同期位置とする、方法。
【請求項３３】
粗同期位置は、受信アンテナ毎に決定されるとともに、各微同期位置を決定するために使用される、請求項３２に記載の方法。
【請求項３４】
粗同期位置が受信アンテナ毎に決定され、これらの位置のうちで最も早い位置が使用されて、全ての受信アンテナにおける微同期位置が決定される、請求項３２に記載の方法。
【請求項３５】
前記粗同期位置は、２つのＯＦＤＭシンボル持続時間にわたって時間領域サンプル間の相関ピークを探すことにより、少なくとも１つの受信アンテナにおいて時間領域で決定される、請求項３３に記載の方法。
【請求項３６】
少なくとも１つの受信アンテナからの複数の微同期位置を組み合わせて全体の微同期位置とすることは、前記微同期位置のうちの最も早い位置を選択することを含む、少なくとも２つのアンテナを有するＯＦＤＭ受信機で適用される、請求項３２に記載の方法。
【請求項３７】
受信信号をサンプリングして時間領域サンプルの各セットを形成することは、少なくとも３つのＯＦＤＭシンボル持続時間において行なわれ、
少なくとも１つの粗同期位置を決定することは、２つのＯＦＤＭシンボル持続時間にわたって受けた前記時間領域サンプル間の相関ピークを探すことにより前記時間領域で粗同期を行ない、
ａ）１つのＯＦＤＭシンボル持続時間を有する第１の期間中に受けた時間領域サンプルの第１のセットと、第１の期間の直ぐ次の第２の期間であってＯＦＤＭシンボル持続時間を有する第２の期間中に受けた時間領域サンプルの第２のセットとの間で計算された相関である複数の相関値のそれぞれを、前記第１の期間における複数の開始時間のそれぞれにおいて計算し、
ｂ）前記複数の相関値で最大となる粗同期位置を特定する、
ことにより、粗同期位置を特定することを含む、請求項３２に記載の方法。
【請求項３８】
少なくとも１つの送信アンテナにおいて相関を組み合わせて、候補同期位置毎に全体の相関結果を形成することは、候補同期位置毎に少なくとも１つの送信アンテナにおける相関を一緒に乗算することを含む、請求項３２に記載の方法。
【請求項３９】
送信アンテナが１つで且つ受信アンテナが１つのシステムに対して適用される、請求項３２に記載の方法。
【請求項４０】
前記トレーニングシーケンスは、共通同期チャネル副搬送波上で受信される、請求項３２に記載の方法。
【請求項４１】
前記トレーニングシーケンスは、ＯＦＤＭフレームプリアンブル中に受信される、請求項３２に記載の方法。
【請求項４２】
前記トレーニングシーケンスは、専用パイロットチャネル副搬送波上で受信される、請求項３２に記載の方法。
【請求項４３】
前記トレーニングシーケンスは、ＯＦＤＭフレームプリアンブル中に受信される、請求項４２に記載の方法。
【請求項４４】
少なくとも１つの受信アンテナと、
前記少なくとも１つの受信アンテナ毎に設けられ、受信信号をサンプリングして、時間領域サンプルの各セットを形成するようになっている受信回路と、
少なくとも１つの粗同期位置を決定するようになっている粗同期装置と、
少なくとも１つのＦＦＴと、少なくとも１つの相関器と、少なくとも１つのコンバイナとを備える微同期装置であって、少なくとも１つの受信アンテナのそれぞれで、
ａ）前記少なくとも１つの粗同期位置のうちの１つに関する複数の各候補微同期位置のそれぞれにおいて、
ｉ）受信アンテナ毎に、前記候補微同期位置に対してＦＦＴウインドウを位置決めするとともに、ＦＦＴにより、前記時間領域サンプルを周波数領域成分の各セットに変換し、
ｉｉ）前記少なくとも１つの送信アンテナ毎に、周波数領域成分のセットから前記送信アンテナに対応する受信された各トレーニングシーケンスを抽出し、
ｉｉｉ）送信アンテナ毎に、受信された各トレーニングシーケンスと周知の各送信トレーニングシーケンスとの間の相関を計算し、
ｉｖ）少なくとも１つの送信アンテナにおいて相関を組み合わせて、候補同期位置毎に全体の相関結果を形成し、
ｂ）複数の相関値から微同期位置を決定する、
ようになっている微同期装置と、
を備え、
少なくとも１つの受信アンテナからの前記微同期位置を組み合わせて全体の微同期位置とするようになっているＯＦＤＭ受信機。
【請求項４５】
少なくとも２つの受信アンテナを有し、前記微同期位置のうちの最も早い位置を選択することにより、少なくとも１つの受信アンテナからの前記微同期位置を組み合わせて全体の微同期位置とするようになっている、請求項４４に記載のＯＦＤＭ受信機。
【請求項４６】
候補同期位置毎に少なくとも１つの送信アンテナにおける相関を一緒に乗算することにより、少なくとも１つの送信アンテナにおいて相関を組み合わせて、候補同期位置毎に全体の相関結果を形成するようになっている、請求項４４に記載のＯＦＤＭ受信機。
【請求項４７】
共通同期チャネル副搬送波上で前記トレーニングシーケンスを受信するようになっている、請求項４４に記載のＯＦＤＭ受信機。
【請求項４８】
専用パイロットチャネル副搬送波上で前記トレーニングシーケンスを受信するようになっている、請求項４４に記載のＯＦＤＭ受信機。
【請求項４９】
微同期を行なう方法であって、
少なくとも１つの受信アンテナのそれぞれで、少なくとも１つの送信アンテナ毎に受けた各周波数領域トレーニングシーケンスを含むＯＦＤＭシンボルを受信し、
周知の周波数領域トレーニングシーケンスと受信した周波数領域トレーニングシーケンスとの間で最大相関を見つけることにより、周波数領域で微同期を行なう
ことを含む方法。
【請求項５０】
微同期を可能にする信号を送信する方法であって、
少なくとも１つの送信アンテナのそれぞれから、各周波数領域トレーニングシーケンスを含むＯＦＤＭシンボルを送信することを含む方法。
【請求項５１】
異なる周波数領域トレーニングシーケンスは各送信アンテナによって送信されるが、同じ周波数領域トレーニングシーケンスは、他の送信機の対応するアンテナによって送信される、請求項５０に記載の方法。
【請求項５２】
ＯＦＤＭ受信機でセル選択を行なう方法であって、
少なくとも１つの送信アンテナのそれぞれで、受信信号をサンプリングして、時間領域サンプルの各セットを形成し、
少なくとも１つの粗同期位置を決定し、
少なくとも１つの受信アンテナのそれぞれで、
ａ）受信信号内の共通同期チャネル副搬送波から抽出された少なくとも１つの受信した共通同期シーケンスと、複数の送信アンテナのそれぞれに対応する共通同期シーケンスとの間で周波数領域相関を行なうことにより、複数の候補相関ピークを特定し、
ｂ）更なる処理のために、Ｍ個の最も強い相関ピークを選択し、
ｃ）各相関ピークで、時間領域サンプルを周波数領域成分に再変換するとともに、送信機固有の情報を含むパイロットチャネル副搬送波を処理して、各相関ピークに関連付けられた送信機を特定し、
ｄ）そのように特定された各送信機においてＣ／Ｉまたは同様の値を決定し、
任意の少なくとも１つの受信アンテナにおいて決定されたＣ／Ｉが最も大きい送信機を選択する、
ことを含む方法。
【請求項５３】
受信信号内の共通同期チャネル副搬送波から抽出された少なくとも１つの受信した共通同期シーケンスと、複数の送信アンテナのそれぞれに対応する共通同期シーケンスとの間で周波数領域相関を行なうことにより、複数の候補相関ピークを特定することは、
ａ）前記少なくとも１つの粗同期位置のうちの１つに関する複数の各候補微同期位置のそれぞれにおいて、
ｉ）受信アンテナ毎に、前記候補微同期位置に対してＦＦＴウインドウを位置決めするとともに、ＦＦＴにより、前記時間領域サンプルを周波数領域成分の各セットに変換し、
ｉｉ）少なくとも１つの送信機のそれぞれの送信アンテナによって送信された少なくとも１つの共通同期シーケンス毎に、前記周波数領域成分のセットから該送信アンテナに対応する受信された各トレーニングシーケンスを抽出し、
ｉｉｉ）少なくとも１つの共通同期シーケンス毎に、受信された各共通同期シーケンスと周知の各共通同期シーケンスとの間の相関を計算し、
ｉｖ）相関を組み合わせて、候補同期位置毎に全体の相関結果を形成し、
ｂ）相関の極大値である少なくとも１つのピークを相関において決定する、
ことを含む、請求項５２に記載の方法。
【請求項５４】
選択された送信機の前記微同期位置に基づいて、時間領域サンプルを周波数領域成分に再変換するとともに、その送信機における専用のパイロットチャネルに基づいて更なる微同期を行なうことを更に含む、請求項５３に記載の方法。
【請求項５５】
ヘッダシンボルの副搬送波が複数のアンテナのそれぞれにおいて非連続の副搬送波のセットに分割され、各アンテナは、副搬送波の各セット上でのみヘッダシンボルを送信し、前記ヘッダシンボルは、多重化されたパイロットチャネル副搬送波と、複数のアンテナのそれぞれにおいて共通同期チャネル副搬送波とを含み、前記フレームは、２つの同一のヘッダＯＦＤＭシンボルから始まり、そのヘッダＯＦＤＭシンボル中において、前記パイロットチャネル副搬送波のコンテンツが繰り返されるとともに、前記同期チャネル副搬送波のコンテンツが繰り返され、前記共通同期チャネル副搬送波は、１つの基地局のアンテナ毎に異なるが複数の基地局にわたって共通の複合シーケンスを搬送し、前記専用パイロットチャネル副搬送波のコンテンツは、少なくとも局所的に特定の基地局に固有のものである、ヘッダシンボルフォーマットを有するＭＩＭＯ−ＯＦＤＭフレームフォーマットに適用される、請求項５４に記載の方法。
【請求項５６】
送信機の切換えのため、そのように特定された送信機毎に、Ｃ／Ｉまたは同様の値を所定の時間にわたって平均化し、その時間の最後に、現在選択されて送信されたものと異なる場合には、最も大きい平均Ｃ／Ｉまたは同様の値を用いて前記送信機の送信機スイッチを起動させることを更に含む、請求項５２に記載の方法。
【発明の詳細な説明】
【技術分野】
【０００１】
本発明はセルラー無線通信システムに関し、特に、ＯＦＤＭまたはＯＦＤＭのような技術を使用したセルラー無線通信システム内でのシステムアクセス、物理層パケット、プリアンブル構造に関する。
【背景技術】
【０００２】
少なくとも１つの送信機と、少なくとも１つの受信機とを有する無線通信システムにおいて、受信機は、送信機によって送信された信号のタイミングを取得しなければならないとともに、受信した信号から情報を抽出できる前にそのタイミングに同期しなければならない。無線通信システム内で、基地局から送信される信号のタイミングは、一般にシステムタイミングと称される。
【０００３】
直交周波数分割多重化（ＯＦＤＭ：Orthogonal Frequency Division Multiplexing）を使用するセルラー無線通信システムにおいては、信号のタイミングに対して同期をとることにより、信号から情報を抽出する信号受信機によって利用される高速フーリエ変換（ＦＦＴ：Fast Fourier Transform）ウインドウの正確な位置決めを行なうことができる。
【０００４】
複数の基地局（ＢＴＳ）と複数の移動通信装置とを有する任意のセルラー無線通信システムにおいて、同期プロセスは、システムを操作できるようにＢＴＳと移動通信装置との間で頻繁に発生しなければならない。以下、移動通信装置を単にＵＥ（ユーザ機器）と称する。
【０００５】
また、各ＢＴＳは、一般にセルとして知られる地理的な送信領域を規定する。この送信領域内で特定のＢＴＳにほぼ隣接するＵＥは、無線通信システムにアクセスする。セルラー無線通信システムにアクセスするためのＢＴＳを特定のＵＥが選択するプロセスは、セル選択として知られている。ＢＴＳ信号の受信を最適化するために、ＵＥは、様々なＢＴＳから受けた質が最も良い信号を特定するとともに、その受信機を切り換えて、最良のＢＴＳに対して周波数を所定の時間合わせる必要がある。したがって、ＵＥの移動性に起因して、１つのＢＴＳからＵＥ切換え位置としての他のＢＴＳへのシームレスなハンドオフが可能となるように、同期プロセスが頻繁に使用されなければならない。
【０００６】
現在の殆どのセルラー無線通信システムにおいて、高速なシステムアクセスおよびセル選択は、適切な移動ＵＥ操作において必須の機能である。高速取得の目的は、所望のＢＴＳに対してＵＥを同期させることができるようにすることである。隣り合うＢＴＳ間で信号（干渉を含む）パワーを同期化して測定するとともに、質が最も良い信号すなわち最大Ｃ／Ｉ（搬送波対干渉：carrier-to-interference）比を用いてＢＴＳを選択して切り換えるため、セル選択および再選択は、ＵＥによって行なわれる。
【０００７】
ＯＦＤＭ（直交周波数分割多重化）を使用する無線通信システムにアクセスするための既存の解決策は、ＳＩＳＯ（単入力−単出力：single input - single output）構成下での高速パケットアクセスのため、無線ＬＡＮ（ローカル・エリア・ネットワーク）システムにおいて設計されていた。しかしながら、無線ＬＡＮは、シームレスなＢＴＳハンドオフを必要とするＵＥの移動性を扱う能力を有していない。一方、幾つかの携帯電話システム、例えば３Ｇ ＵＭＴＳは、セル選択、ＢＴＳ識別、ＢＴＳ Ｃ／Ｉ比測定を行なうことができる。
【０００８】
マルチ入力マルチ出力−ＯＦＤＭ（ＭＩＭＯ−ＯＦＤＭ：Multiple Input Multiple Output OFDM）は、周波数および時間の両方において高速フェージングを伴う無線チャネルを通じて高速データを送信するために使用される、新規で高スペクトルな効率的技術である。高速ダウンリンクパケットデータ送信システムにおいて、物理層パケット構造の設計は、基本的な態様である。
【０００９】
ＯＦＤＭ技術は、ＤＡＢ規格、ＤＶＢ−Ｔ規格およびＩＥＥＥ ８０２．１１規格によって採用されてきた。ＤＡＢおよびＤＶＢ−Ｔは、オーディオ・ビデオエリア・ブロードキャスティングにおいて使用される。これらのシステムにおいて、信号は、連続するデータストリームの状態で送信される。ここでは高速パケットアクセスが重要でないため、プリアンブルは必要とされない。また、ＤＡＢおよびＤＶＢ−Ｔは、１つの周波数ネットワークに適用される。この場合、全ての送信機は、ブロードキャスティングとして、同じ信号を送信する。隣り合う送信機からの干渉は、適切な構造のプレフィックスによって扱うことができる有効エコーとして処理することができる。ＩＥＥＥ ８０２．１１は、無線ＬＡＮ規格である。それは、パケットベースのＯＦＤＭ送信システムである。この規格では、プリアンブルヘッダが導入される。
【００１０】
各送信機および各受信機が複数のアンテナを有するＭＩＭＯ−ＯＦＤＭ（マルチ入力マルチ出力−ＯＦＤＭ）システム内での同期化は、非常に困難である。作業の複雑さに加えて、セル全体で高い成功率を得ることができるように、高速同期プロセスは、非常に低いＣ／Ｉ比状態で非常に信頼できるものでなければならない。また、移動性が高いことにより高いドップラーが広がり、これにより確実な同期化が更に困難になる。
【００１１】
ＭＩＭＯ−ＯＦＤＭシステムにおいては、２段階で同期化を行なうことができる。最初に、フレーム内における最初のＯＦＤＭシンボルの開始位置の場所のおおよその範囲を決定するために、フレーム同期（粗同期とも呼ばれる）が行なわれる。次に、正確なＦＦＴウインドウの位置を決定して、周波数領域での復調を正確に行なえるようにするために、タイミング同期（微同期とも呼ばれる）が行なわれる。
【００１２】
従来、微同期は、時間領域で行なわれる。これは、選択時間スロットで相互相関計算を受信機が行なえるように、予め知られたパイロットトレーニングシーケンスを時間領域内に挿入することにより行なわれる。
【００１３】
例えば、図１−１および図１−２に示されるように、ＩＥＥＥ ８０２．１１規格のＯＦＤＭフレーム構造は、幾つかの繰り返される短いＯＦＤＭシンボル（参照符号５で全体的に示される）を使用する。これらのＯＦＤＭシンボルは、副搬送波選択のため、フレームの初めの時間領域内に幾つかのヘッダとして配置されている。そして、その後に、微同期のためのトレーニングＯＦＤＭシンボル２０７が続く。ヘッダ５は、フレーム同期（すなわち、粗同期）のために使用される。トレーニングＯＦＤＭシンボル２０７は、ＦＦＴウインドウを正確に位置決めして、周波数領域の復調を正確に行なえるようにするために使用される。トレーニングＯＦＤＭシンボル２０７の後には、ＴＰＳ ＯＦＤＭ２０５と、データＯＦＤＭシンボル３０とが続く。
【発明の開示】
【発明が解決しようとする課題】
【００１４】
周波数領域（図１−２参照）で更に明確に示されるＴＰＳ（送信パラメータ信号）ＯＦＤＭシンボル２０５は、変調時間および適応コーディングに対応する周波数と共に送信される。トレーニングＯＦＤＭシンボル、ＴＰＳ ＯＦＤＭシンボルおよびデータＯＦＤＭシンボルは、全ての副搬送波を使用する。８０２．１１システムにおいて、粗同期用繰り返しヘッダは、４番目の全ての副搬送波上でのみ送信される。このような構成は、１つの送信アンテナだけを有する単純なＳＩＳＯ  ＯＦＤＭシステムにおいてのみ適している。ＭＩＭＯ−ＯＦＤＭシステムの場合には、複数の送信アンテナが存在するため、プリアンブル構成が更に複雑になる。また、移動体通信の場合には、マルチセル環境、ＢＴＳ情報が利用できない最初のアクセスのための要件、ＢＴＳ切換えおよびソフトハンドオフにより、効果的なプリアンブル構成が更に難しくなる。
【００１５】
セル取得および同期化のプロセスにおける既存の方法は、比較的長いアクセス時間を必要とするＵＭＴＳ  ＷＣＤＭＡシステムにより採用される３段階同期化手法を使用する。時間領域で微同期を行ない得る間、ＭＩＭＯチャネルの自己干渉は、Ｃ／Ｉが非常に低い状態下で、この手法の性能を制限する。相関の長さを長くすると、時間領域での微同期の性能を高めることができるが、オーバーヘッドが増大し、処理が複雑になってしまう。既存の構成は、１つの送信アンテナと１つの受信アンテナとを有するシステムにおける時間領域トレーニングシーケンス相関に基づいている。しかしながら、そのような時間領域同期手法を単に拡張させただけでは、特にＣ／Ｉ比が低い用途において、性能が低下してしまう。性能低下の原因は、時間領域で減少することが容易ではないＭＩＭＯチャネル間の自己干渉である。
【課題を解決するための手段】
【００１６】
本発明の１つの広範な態様は、ヘッダシンボルフォーマットを送信するようになっているＭＩＭＯ−ＯＦＤＭ送信機であって、ヘッダＯＦＤＭシンボルの副搬送波が、複数のアンテナのそれぞれにおいて、副搬送波の非連続なセットに分割され、各アンテナが、副搬送波の各セット上でのみヘッダＯＦＤＭシンボルを送信するＭＩＭＯ−ＯＦＤＭ送信機を提供する。
【００１７】
幾つかの実施形態においては、Ｎ個のアンテナが存在し、Ｎ個の副搬送波によって分離された副搬送波の異なるセットが複数のアンテナのそれぞれに対して割り当てられる。
【００１８】
幾つかの実施形態において、前記ヘッダシンボルは、複数のアンテナのそれぞれにおいて、専用パイロットチャネル副搬送波上に、多重化された専用パイロットチャネルを含むとともに、共通同期チャネル副搬送波上に、共通同期チャネルを含む。
【００１９】
幾つかの実施形態において、前記ヘッダＯＦＤＭシンボルは、複数のアンテナのそれぞれにおいて、多重化されたブロードキャスト副搬送波を更に含む。
【００２０】
幾つかの実施形態において、前記送信機は、更に、プレフィックスと、プレフィックスの後に続き且つ前記ヘッダＯＦＤＭシンボルフォーマットを有する２つの同一のＯＦＤＭシンボルとを有するプリアンブルを送信するようになっている。幾つかの実施形態において、前記プレフィックスは、前記２つの同一のＯＦＤＭシンボルの巡回拡張子である。
【００２１】
幾つかの実施形態において、前記パイロットチャネルは、効率的なＢＴＳ識別を行なうことができるＢＴＳ固有のマッピングされた複合シーケンスを有する。
【００２２】
幾つかの実施形態において、前記共通同期チャネルは、高速で且つ正確な初期取得を行なえるように設計されている。
【００２３】
幾つかの実施形態において、前記共通同期チャネルは、粗同期および微同期のために使用され、前記パイロットチャネルは、微同期のために使用される。
【００２４】
幾つかの実施形態において、前記共通同期チャネルは、１つの送信機の送信アンテナ毎に異なるが通信ネットワーク内の様々な送信機の各送信アンテナに共通する複合シーケンスを送信するために使用される。
【００２５】
幾つかの実施形態において、前記送信機は更に、前記プリアンブルから始まるＯＦＤＭフレームを送信するようになっており、当該ＯＦＤＭフレームは、該ＯＦＤＭフレーム内の残りのＯＦＤＭシンボルにわたって分散パイロットを有する。
【００２６】
幾つかの実施形態において、前記プリアンブル中、Ｎ個の送信アンテナのそれぞれにおいて、専用パイロットチャネル副搬送波が送信され、共通同期チャネル副搬送波が送信され、そしてブロードキャストチャネル副搬送波が送信される。
【００２７】
幾つかの実施形態において、前記プリアンブルのＯＦＤＭシンボルの副搬送波は、所定の順序で配置される｛Ｎ個の送信アンテナのそれぞれにおける専用パイロットチャネル、Ｎ個の送信アンテナのそれぞれにおける共通同期チャネル副搬送波｝から成る繰り返しシーケンスとして編成される。
【００２８】
幾つかの実施形態において、前記プリアンブルのＯＦＤＭシンボルの副搬送波は、所定の順序で配置される｛Ｎ個の送信アンテナのそれぞれにおける少なくとも１つの専用パイロットチャネル副搬送波、Ｎ個の送信アンテナのそれぞれにおける少なくとも１つの共通同期チャネル副搬送波、少なくとも１つのブロードキャストチャネル副搬送波｝から成る繰り返しシーケンスとして編成される。
【００２９】
本発明の別の広範な態様は、ヘッダシンボルフォーマットを受信するようになっているＭＩＭＯ−ＯＦＤＭ受信機であって、ヘッダＯＦＤＭシンボルの副搬送波は、複数のアンテナのそれぞれにおいて、副搬送波の非連続なセットに分割され、各アンテナは、副搬送波の各セット上でのみヘッダＯＦＤＭシンボルを送信するＭＩＭＯ−ＯＦＤＭ受信機を提供する。
【００３０】
幾つかの実施形態において、前記受信機は、Ｎ個の送信アンテナから、Ｎ個の副搬送波によって分離された副搬送波の異なるセットで受信するようになっており、該副搬送波の異なるセットは複数の送信アンテナのそれぞれに対して割り当てられる。
【００３１】
幾つかの実施形態において、前記受信機は、共通同期チャネル副搬送波及び／又は専用パイロットチャネル副搬送波に基づいて微同期を更に行なうようになっている。
【００３２】
本発明の別の広範な態様は、パケットデータフレーム構造を送信するようになっている送信機を提供する。該パケットデータフレーム構造は、ネットワークの同期期間に対応する長さを有するスーパーフレームを備え、該スーパーフレームは、複数の無線フレームを含み、各無線フレームは、適応コーディングおよび変調期間に対応する複数のＴＰＳ（送信パラメータ信号）フレームを含み、各ＴＰＳフレームは、エアーインタフェーススロットサイズに対応する複数のスロットを含み、各スロットは複数のＯＦＤＭシンボルを含み、各ＯＦＤＭフレームの最初のＴＰＳフレームの最初のスロットの最初の２つのシンボルは、ヘッダＯＦＤＭシンボルとして使用される。
【００３３】
幾つかの実施形態において、前記ヘッダＯＦＤＭシンボルは、該ヘッダＯＦＤＭシンボルの副搬送波が複数のアンテナのそれぞれにおいて副搬送波の非連続なセットに分割されるヘッダＯＦＤＭシンボルフォーマットを有し、各アンテナは、副搬送波の各セット上でのみヘッダＯＦＤＭシンボルを送信する。
【００３４】
幾つかの実施形態において、前記ヘッダＯＦＤＭシンボルは、複数のアンテナのそれぞれにおいて、多重化された専用パイロットチャネル副搬送波を含むとともに、共通同期チャネル副搬送波を含む。
【００３５】
幾つかの実施形態において、前記ヘッダＯＦＤＭシンボルは、複数のアンテナのそれぞれにおいて、多重化されたブロードキャストチャネル副搬送波を更に含む。
【００３６】
幾つかの実施形態において、前記送信機は、スロット持続時間が変わることなく且つスロットよりも上のフレーム構造を変えることなく１スロット毎に異なる数のＯＦＤＭシンボルを送信することにより、複数の異なるモードで送信するようになっている。
【００３７】
幾つかの実施形態において、１スロット当たりのＯＦＤＭシンボルの数が増大するモードは、サンプリング周波数を変えることなくＯＦＤＭシンボル持続時間およびＦＦＴサイズを短くすることにより実現される。
【００３８】
幾つかの実施形態において、前記送信機は、更に、ＴＰＳフレーム毎にユーザの各組に対して送信するとともに、どのユーザがＴＰＳフレーム全体を復調するべきかをＴＰＳフレームごとの信号に送信するようになっている。
【００３９】
本発明の別の広範な態様は、ＯＦＤＭ受信機で同期を行なう方法を提供する。この方法は、少なくとも１つの受信アンテナのそれぞれにおいて、受信信号をサンプリングして時間領域サンプルの各セットを形成し、少なくとも１つの粗同期位置を決定し、少なくとも１つの受信アンテナのそれぞれにおいて、
ａ）前記少なくとも１つの粗同期位置のうちの１つに関する複数の候補微同期位置のそれぞれにおいて、
ｉ）受信アンテナ毎に、候補微同期位置に対してＦＦＴウインドウを位置決めするとともに、ＦＦＴにより、時間領域サンプルを周波数領域成分の各セットに変換し、
ｉｉ）前記少なくとも１つの送信アンテナ毎に、周波数領域成分のセットから送信アンテナに対応する受信された各トレーニングシーケンスを抽出し、
ｉｉｉ）送信アンテナ毎に、受信された各トレーニングシーケンスと周知の各送信トレーニングシーケンスとの間の相関を計算し、
ｉｖ）少なくとも１つの送信アンテナにおいて相関を組み合わせて、候補同期位置毎に全体の相関結果を形成し、
ｂ）複数の相関値から微同期位置を決定し、
少なくとも１つの受信アンテナからの複数の微同期位置を組み合わせて全体の微同期位置とする、
ことを含む。
【００４０】
幾つかの実施形態において、粗同期位置は、受信アンテナ毎に決定されるとともに、各微同期位置を決定するために使用される。
【００４１】
幾つかの実施形態において、粗同期位置が受信アンテナ毎に決定され、これらの位置のうちで最も早い位置が使用されて、全ての受信アンテナにおける微同期位置が決定される。
【００４２】
幾つかの実施形態において、前記粗同期位置は、２つのＯＦＤＭシンボル持続時間にわたって時間領域サンプル間の相関ピークを探すことにより、少なくとも１つの受信アンテナにおいて時間領域で決定される。
【００４３】
幾つかの実施形態において、前記方法は、少なくとも２つのアンテナを有するＯＦＤＭ受信機で適用され、少なくとも１つの受信アンテナからの複数の微同期位置を組み合わせて全体の微同期位置とすることは、微同期位置のうちの最も早い位置を選択することを含む。
【００４４】
幾つかの実施形態において、受信信号をサンプリングして時間領域サンプルのセットを形成することは、少なくとも３つのＯＦＤＭシンボル持続時間において行なわれ、少なくとも１つの粗同期位置を決定することは、２つのＯＦＤＭシンボル持続時間にわたって受けた時間領域サンプル間の相関ピークを探すことにより時間領域で粗同期を行なって、
ａ）１つのＯＦＤＭシンボル持続時間を有する第１の期間中に受けた時間領域サンプルの第１のセットと、前記第１の期間の直ぐ次の第２の期間であってＯＦＤＭシンボル持続時間を有する第２の期間中に受けた時間領域サンプルの第２のセットとの間で計算された相関である複数の相関値のそれぞれを、前記第１の期間における複数の開始時間のそれぞれにおいて計算し、
ｂ）前記複数の相関値で最大となる粗同期位置を特定する、
ことにより、粗同期位置を特定することを含む。
【００４５】
幾つかの実施形態において、少なくとも１つの送信アンテナにおいて相関を組み合わせて候補同期位置毎に全体の相関結果を形成することは、候補同期位置毎に少なくとも１つの送信アンテナにおける相関を一緒に乗算することを含む。
【００４６】
幾つかの実施形態において、前記方法は、送信アンテナが１つで且つ受信アンテナが１つのシステムに対して適用される。
【００４７】
幾つかの実施形態において、前記トレーニングシーケンスは、共通同期チャネル副搬送波上で受信される。
【００４８】
幾つかの実施形態において、前記トレーニングシーケンスは、ＯＦＤＭフレームプリアンブル中に受信される。
【００４９】
幾つかの実施形態において、前記トレーニングシーケンスは、専用パイロットチャネル副搬送波上で受信される。
【００５０】
幾つかの実施形態において、トレーニグシーケンスは、ＯＦＤＭフレームプリアンブル中に受信される。
【００５１】
本発明の別の広範な態様は、少なくとも１つの受信アンテナと；前記少なくとも１つの受信アンテナ毎に設けられ、受信信号をサンプリングして、時間領域サンプルの各セットを形成するようになっている受信回路と、少なくとも１つの粗同期位置を決定するようになっている粗同期装置と、微同期装置と、を備え、該微同期装置は、少なくとも１つのＦＦＴと、少なくとも１つの相関器と、少なくとも１つのコンバイナとを備えるとともに、少なくとも１つの受信アンテナのそれぞれで、
ａ）前記少なくとも１つの粗同期位置のうちの１つに関する複数の候補微同期位置それぞれにおいて、
ｉ）受信アンテナ毎に、候補微同期位置に対してＦＦＴウインドウを位置決めするとともに、ＦＦＴにより、時間領域サンプルを周波数領域成分の各セットに変換し、
ｉｉ）前記少なくとも１つの送信アンテナ毎に、周波数領域成分のセットから送信アンテナに対応する受信された各トレーニングシーケンスを抽出し、
ｉｉｉ）送信アンテナ毎に、受信された各トレーニングシーケンスと周知の各送信トレーニングシーケンスとの間の相関を計算し、
ｉｖ）少なくとも１つの送信アンテナにおいて相関を組み合わせて、候補同期位置毎に全体の相関結果を形成し、
ｂ）複数の相関値から微同期位置を決定する、
ようになっており、
少なくとも１つの受信アンテナからの複数の微同期位置を組み合わせて全体の微同期位置とするようになっているＯＦＤＭ受信機を提供する。
【００５２】
幾つかの実施形態において、前記受信機は、少なくとも２つの受信アンテナを有し、微同期位置のうちの最も早い位置を選択することにより、少なくとも１つの受信アンテナからの複数の微同期位置を組み合わせて全体の微同期位置とする。
【００５３】
幾つかの実施形態において、前記受信機は、候補同期位置毎に少なくとも１つの送信アンテナにおける相関を一緒に乗算することにより、少なくとも１つの送信アンテナにおいて相関を組み合わせて、候補同期位置毎に全体の相関結果を形成するようになっている。
【００５４】
幾つかの実施形態において、前記受信機は、共通同期チャネル副搬送波上でトレーニングシーケンスを受信するようになっている。
【００５５】
幾つかの実施形態において、受信機は、専用パイロットチャネル副搬送波上でトレーニングシーケンスを受信するようになっている。
【００５６】
本発明の別の広範な態様は、微同期を行なう方法を提供する。この方法は、少なくとも１つの各受信アンテナで、少なくとも１つの送信アンテナ毎に受けた各周波数領域トレーニングシーケンスを含むＯＦＤＭシンボルを受信し、周知の周波数領域トレーニングシーケンスと、受信した周波数領域トレーニングシーケンスとの間で最大相関を見つけることにより、周波数領域で微同期を行なうことを含む。
【００５７】
本発明の別の広範な態様は、微同期を可能にする信号を送信する方法を提供する。この方法は、少なくとも１つの各送信アンテナから、各周波数領域トレーニングシーケンスを含むＯＦＤＭシンボルを送信することを含む。
【００５８】
幾つかの実施形態において、異なる周波数領域トレーニングシーケンスは各送信アンテナによって送信されるが、同じ周波数領域トレーニングシーケンスは、他の送信機の対応するアンテナによって送信される。
【００５９】
本発明の別の広範な態様は、ＯＦＤＭ受信機でセル選択を行なう方法を提供する。この方法は、少なくとも１つの各送信アンテナで、受信信号をサンプリングして、時間領域サンプルの各セットを形成し、少なくとも１つの粗同期位置を決定し、少なくとも１つの受信アンテナのそれぞれで、
ａ）受信信号内の共通同期チャネル副搬送波から抽出された少なくとも１つの受信した共通同期シーケンスと、複数の送信アンテナのそれぞれの対応する共通同期シーケンスとの間で周波数領域相関を行なうことにより、複数の候補相関ピークを特定し、
ｂ）更なる処理のために、Ｍ個の最も強い相関ピークを選択し、
ｃ）各相関ピークで、時間領域サンプルを複数の周波数領域成分に再変換するとともに、送信機固有の情報を含むパイロットチャネル副搬送波を処理して、各相関ピークに関連付けられた送信機を特定し、
ｄ）そのように特定された各送信機においてＣ／Ｉまたは同様の値を決定し、
任意の少なくとも１つの受信アンテナにおいて決定されたＣ／Ｉが最も大きい送信機を選択する、
ことを含む。
【００６０】
幾つかの実施形態において、受信信号内の共通同期チャネル副搬送波から抽出された少なくとも１つの受信した共通同期シーケンスと、複数の各送信アンテナの対応する共通同期シーケンスとの間で周波数領域相関を行なうことにより、複数の候補相関ピークを特定することは、
ａ）前記少なくとも１つの粗同期位置のうちの１つに関する複数の各候補微同期位置のそれぞれにおいて、
ｉ）受信アンテナ毎に、候補微同期位置に対してＦＦＴウインドウを位置決めするとともに、ＦＦＴにより、時間領域サンプルを周波数領域成分の各セットに変換し、
ｉｉ）少なくとも１つの各送信機の送信アンテナによって送信された少なくとも１つの共通同期シーケンス毎に、周波数領域成分のセットから前記送信アンテナに対応する受信された各トレーニングシーケンスを抽出し、
ｉｉｉ）少なくとも１つの共通同期シーケンス毎に、受信された各共通同期シーケンスと周知の各共通同期シーケンスとの間の相関を計算し、
ｉｖ）相関を組み合わせて、候補同期位置毎に全体の相関結果を形成し、
ｂ）相関の極大値である少なくとも１つのピークを前記相関において決定する、
ことを含む。
【００６１】
幾つかの実施形態において、前記方法は、選択された送信機の微同期位置に基づいて、時間領域サンプルを周波数領域成分に再変換するとともに、その送信機における専用のパイロットチャネルに基づいて更なる微同期を行なうことを更に含む。
【００６２】
幾つかの実施形態において、前記方法は、ヘッダシンボルフォーマットを有するＭＩＭＯ−ＯＦＤＭフレームフォーマットに適用され、ヘッダシンボルの副搬送波が複数のアンテナのそれぞれにおいて非連続の副搬送波のセットに分割され、各アンテナは、対応する副搬送波のセット上でのみヘッダシンボルを送信し、該ヘッダシンボルは、多重化されたパイロットチャネル副搬送波と、複数のアンテナのそれぞれに共通の同期チャネル副搬送波とを含み、フレームは、２つの同一のヘッダＯＦＤＭシンボルから始まり、そのヘッダＯＦＤＭシンボル中において、パイロットチャネル副搬送波のコンテンツが繰り返されるとともに、同期チャネル副搬送波のコンテンツが繰り返され、共通同期チャネル副搬送波は、１つの基地局の各アンテナで異なるが複数の基地局にわたって共通の複合シーケンスを搬送し、専用パイロットチャネル副搬送波のコンテンツは、少なくとも局所的に特定の基地局に固有のものである。
【００６３】
幾つかの実施形態において、前記方法は、送信機の切換えのため、そのように特定された送信機毎に、Ｃ／Ｉまたは同様の値を所定の時間にわたって平均化し、その時間の最後に、現在選択されて送信されたものと異なる場合には、最も大きい平均Ｃ／Ｉまたは同様の値を用いて前記送信機の送信機スイッチを起動させることを更に含む。
【発明を実施するための最良の形態】
【００６４】
以下、添付図面を参照しつつ、本発明の好ましい実施形態を詳細に説明する。
【００６５】
図２−１を参照すると、本発明の一実施形態によって与えられるＯＦＤＭパケットフレーム構造が示されている。送信ＯＦＤＭシンボルストリームがそのようなフレームに編成されている。各フレームは、３つの主な構成要素、すなわち、プリアンブル３００と、分散パイロット３０２と、トラフィックデータシンボル３０４とから成る。プリアンブルの挿入により、ＵＥ（ユーザ機器）は、以下の基本的な動作、すなわち、高速ＢＴＳ（基地局）アクセス、ＢＴＳ識別およびＣ／Ｉ比測定、フレーミング・タイミング同期、周波数・サンプリングクロックオフセット評価、初期チャネル評価を行なうことができる。スペクトル効率および無線能力を最大にするためには、オーバーヘッドが最小限のフレームプリアンブルを設計することが重要である。
【００６６】
図２−２を参照すると、ＭＩＭＯ−ＯＦＤＭのためのフレーム階層が本発明の一実施形態にしたがって以下のように編成されている。すなわち、ＯＦＤＭスーパーフレーム５００（２つ示されている）が最も高いレベルにある。スーパーフレームの持続時間は、ネットワーク同期時間（例えば１秒）によって決定される。スーパーフレームは、ＯＦＤＭフレームとも称される幾つかの１０ｍｓ無線フレーム５０２から成る。１つの１ｓスーパーフレーム５００の中には、１００個の１０ｍｓＯＦＤＭフレーム５０２がある。
【００６７】
適応コーディング変調（ＡＣＭ：Adaptive Coding Modulation）をサポートするため、高速信号チャネル（ＴＰＳチャネル送信パラメータ信号）が導入される。各ＯＦＤＭフレーム５０２は、複数のＴＰＳフレーム５０４に分割される。図示の例では、１０ｍｓ無線フレーム５０２毎に５つの２ｍｓＴＰＳフレームがある。幾つかの実施形態においてＴＰＳのために使用されるフレーム長は、ＡＣＭ単位の持続時間と同じである。また、各ＴＰＳフレームは、現在のＴＰＳフレームが自分のためのデータを含むか否かを各ユーザが判断できる信号情報を含む。１つのＴＰＳフレームは複数のユーザのためのデータを含んでも良い。
【００６８】
ＴＰＳフレーム５０４は、更に幾つかのスロット５０６に分割されても良い。各スロットは、幾つかのＯＦＤＭシンボルから成る。図示の例において、各ＴＰＳフレーム５０４は、３つのスロット５０６に分割されている。スロット５０６の持続時間は、エアーインタフェーススロットサイズによって決まる。最も小さい送信単位は、１つのＯＦＤＭシンボル５０８，５１０である。１つのＯＦＤＭシンボルの持続時間は、送信環境特性、例えば、最大チャネル遅れ、システムサンプリングクロックおよび最大ドップラーによって決定される。図示の例においては、１つのスロット５０６毎に４つのＯＦＤＭシンボル５０８，５１０がある。
【００６９】
ＯＦＤＭシンボル間にガードインターバルを挿入することによって生じるオーバーヘッドを減らすため、異なるシンボル持続時間と異なるプレフィックスとをそれぞれが有する異なるＯＦＤＭシンボルモード、例えば０．５ｋモードおよび１ｋモードを設計することができる。システムを簡単にするため、モード切換えの際、サンプリング周波数は変更されることなく維持される。以下、これらの異なるモードについて詳細に説明する。
【００７０】
図２−２のフレーム構造は、ＵＭＴＳエアーインタフェースに適合するフレーム構造階層の一例を示している。ＯＦＤＭシンボルレベルでは、２つの異なるタイプのＯＦＤＭシンボルが存在する。これらのＯＦＤＭシンボルは、プリアンブルＯＦＤＭシンボル５０８と、レギュラーデータシンボル５１０とを含む。
【００７１】
時間領域を示している図４を参照すると、各ＯＦＤＭフレームは、プレフィックス６０７によって先行される幾つかの同じヘッダＯＦＤＭシンボル６０３，６０５から成るプリアンブルで始まる。プレフィックス６０７は、ヘッダＯＦＤＭシンボルの巡回拡張子である。同期を支援するために、繰り返し構造が使用される。２つの同一のシンボルが識別されるまで、隣り合うＯＦＤＭシンボル間で相関を行なうことにより、ＯＦＤＭフレームの開始点を見つけることができる。一例として、１つのＯＦＤＭシンボル毎に１０５６個のサンプルを使用しても良い。プリアンブルにおいては、プレフィックス６０７中に、ヘッダＯＦＤＭシンボルの最後の６４個のサンプルが送信される。２番目のヘッダＯＦＤＭシンボルにおいてはプレフィックスが無い。ヘッダは定期的に挿入され、図２−２の例の場合、１０ｍｓ毎に、すなわち、全てのＯＦＤＭフレームの開始時に、ヘッダの定期的な挿入が行なわれる。
【００７２】
再び図２−２を参照すると、非ヘッダＯＦＤＭシンボルの場合、すなわち、レギュラーＯＦＤＭシンボル５１０の場合、全てのＯＦＤＭシンボルがプレフィックスを有することが好ましい。“１Ｋ”モードにおいては、３２個のプレフィックスサンプルと、ＦＦＴサイズを示す１０２４個の実際のサンプルとがあり、シンボル毎に全部で１０５６個のサンプルがある。１／２Ｋモードにおいては、１６個のサンプルプレフィックスと、シンボル毎に５１２個のサンプル（ＦＦＴサイズを示す）があり、全部で５２８サンプル／シンボルとなる。図２−２のフレーム構造を使用することにより、サンプリング周波数を変えることなく、これらの異なるモードを有利にサポートすることができる。１／２Ｋモードの場合、スロット５０６毎に２倍の数のＯＦＤＭシンボル５１０がある。ある瞬間に選択された特定のモードは、プレフィックスサイズが最大チャネル遅れよりも大きくなっていなければならない。１／Ｋモードにおいては、僅かな副搬送波を用いて、より多くのＯＦＤＭシンボルが送られる。これは、高いドップラーまでかなり強力である。それは、シンボル持続時間が短いからである。また、副搬送波の間の間隔は大きく、ドップラーまでの許容度を高める。したがって、様々なＦＦＴサイズに対応するが１つの受信機で同じサンプリングレートを持つ１つの一体的なフレーム構造がある。異なるモードであっても、同じプリアンブルが使用されることが好ましい。
【００７３】
ＯＦＤＭはパラレル送信技術である。全体の有用な帯域幅が多くの副搬送波に分割され、各副搬送波が個別に変調される。本発明の一実施形態においては、複数のアンテナ送信を用いて異なるアンテナを分離するために、ヘッダ中において、全ての副搬送波が全ての送信アンテナで使用されるとは限らない。むしろ、副搬送波がアンテナ間で分割される。その一例について図３を参照しながら説明する。ＯＦＤＭシンボル内に含まれる副搬送波の周波数はそれぞれ円によって表わされている。この例においては、ＭＩＭＯシステム内に２つの送信アンテナがあると仮定する。図３は、周波数軸４４０に沿って離間する様々な副搬送波を有するＯＦＤＭシンボルを示している。時間軸４０２に沿って示されるように、ある瞬間の全ての副搬送波のコンテンツは、経時的に１つのシンボルを表わしている。この場合、最初の２つのＯＦＤＭシンボル４０８，４１０は、専用のパイロットチャネル情報のために使用される。一方、残りのシンボル（２つだけが示されている、４１２，４１４）は、レギュラーＯＦＤＭシンボルのために使用される。最初の２つのＯＦＤＭシンボル４０８，４１０で送信される専用のパイロットチャネル情報は、第１アンテナによって送信される副搬送波と、第２アンテナによって送信される副搬送波とが交互になっている。これは、第１送信機の専用のパイロットチャネル情報を送信している第１の副搬送波４０４と、第２副搬送波の専用のパイロットチャネル情報を送信している副搬送波４０６とに関して示されており、このパターンは、その後、残りの副搬送波において繰り返す。他のＯＦＤＭシンボル４１２，４１４は、両方のアンテナによって送信される情報を含む。他の間隔を代わりに使用できることは言うまでもない。また、その後、更に２つの送信アンテナがある場合には、パイロットチャネル情報は、全ての送信アンテナ間で、幾つかの所定のパターンの副搬送波が交互に並ぶ。
【００７４】
他の実施形態においては、共通同期チャネルと専用パイロットチャネルとがヘッダシンボル上で周波数多重化される。専用パイロットチャネルおよび共通同期チャネルをそれぞれ送信するために、重複していない副搬送波の各セットが各アンテナに割り当てられる。
【００７５】
他の実施形態においては、共通同期チャネルと、専用パイロットチャネルと、ブロードキャストチャネルとがヘッダシンボル上で周波数多重化される。このような配置構成の下、ヘッダシンボルの全ての有用な副搬送波は、３つのグループに分離される。これらの３つのグループは、共通同期チャネルと、専用パイロットチャネルと、ブロードキャストチャネルとにそれぞれマッピングされる。
【００７６】
２−送信機ダイバーシティを用いてＭＩＭＯシステムにおいて異なるチャネルをマッピングした一例が図５に示されている。この例においては、４つのＯＦＤＭシンボル７１２，７１４，７１６，７１８が示されており、そのうちの２つのＯＦＤＭシンボル７１２，７１４がヘッダシンボルである。ヘッダシンボル７１２，７１４中においては、全ての２番目の副搬送波が第１のアンテナのために使用され、残りの副搬送波が第２アンテナのために使用される。これは、多数のアンテナに対して簡単に一般化される。この例においては、ＭＩＭＯシステム内に２つの送信アンテナがあると仮定する。１番目の副搬送波７００から始まる各６番目の副搬送波は、第１送信機の専用パイロットチャネルの副搬送波のためのものである。２番目の副搬送波７０２から始まる各６番目の副搬送波は、第２送信機の専用パイロットチャネルの副搬送波のためのものである。３番目の副搬送波７０４から始まる各６番目の副搬送波は、第１送信機の共通同期チャネルの副搬送波のためのものである。４番目の副搬送波７０６から始まる各６番目の副搬送波は、第２送信機の共通同期チャネルの副搬送波のためのものである。５番目の副搬送波から始まる各６番目の副搬送波は、第１アンテナのためのブロードキャストチャネルの副搬送波のためのものであり、６番目の副搬送波７１０から始まる各６番目の副搬送波は、第２アンテナのためのブロードキャストチャネルの副搬送波のためのものである。
【００７７】
共通同期チャネルは、最初のアクセスにおいて普遍的なチャネルである。また、共通同期チャネルは、同期・予備チャネル評価のためにも使用できる。送信機ダイバーシティが適用される場合には、異なる送信機が共通同期副搬送波を共有する。前述したような場合には、共通同期チャネルが異なる送信機間で分割される。共通同期チャネルのために確保された副搬送波を変調するために、全ての端末によって知られる共通の複合シーケンスが使用される。システム内の全ての基地局により、同じ共通の同期シーケンスが送信される。複数の送信アンテナがあって、各送信アンテナが固有の同期シーケンスを送信できる場合には、そのような１または複数の同期シーケンスがあっても良い。同期シーケンスを使用すると、移動局は、受信した同期シーケンスと送信された周知の同期シーケンスとの間で相関ピークを探すことにより、更なるＢＴＳ識別のための最初の同期位置を見つけることができる。
【００７８】
専用パイロットチャネルは、ＢＴＳ／セル識別のために使用されるとともに、セル選択、セル切換えおよびハンドオフのためのＣ／Ｉ測定をサポートする。固有の複合シーケンス、例えばＰＮコードは、各ＢＴＳに対して割り当てられるとともに、専用パイロット副搬送波を変調するために使用される。複数の送信アンテナがある場合には、各アンテナによって、異なる固有のシーケンスが送信される。共通同期チャネルにおける場合とは異なり、様々な基地局が、異なるパイロットシーケンスを使用して送信する。異なるＢＴＳに対して割り当てられたＰＮコードの準直交性により、アクセスポイント識別および初期干渉測定を行なうことができる。また、専用パイロットチャネルは、同期処理を支援するためにも使用できる。
【００７９】
ヘッダＯＦＤＭシンボルにおける副搬送波を完全に利用するためには、幾つかの副搬送波がブロードキャスティングチャネルとして使用されることが好ましい。図５の例においては、６つの全ての副搬送波のうちの２つがこの目的のために使用される。ブロードキャストチャネルは、重要なシステム情報を搬送することができる。ＳＴＴＤ（時空送信ダイバーシティ）スキームは、同期アルゴリズムによって必要とされるヘッダＯＦＤＭシンボルの繰り返し構造を破壊するため、ブロードキャストチャネル（または、ヘッダＯＦＤＭシンボルにおける任意の副搬送波）のために使用することができない。しかしながら、全ての送信機によって同一の副搬送波でブロードキャスト情報を送信すると、送信機間で破壊的な干渉が生じる虞がある。この問題を解決するために、異なる送信機間でブロードキャストチャネルが分割される。したがって、送信アンテナが２つある場合には、送信アンテナがダイバーシティを提供できるように、副搬送波（ブロードキャストチャネルのためにマッピングされた）を送信アンテナのために二者択一的に割り当てることができる。ブロードキャストチャネルを更に向上させるためにパワーが増大されても良い。
【００８０】
異なるＢＴＳからのブロードキャスティング情報が異なっていても良い。幾つかの実施形態においては、ブロードキャスト情報が保護されるため、セルの境界に近いユーザは、強い干渉の存在下で、ブロードキャスト情報を正確に受信することができる。短いＰＮコードを使用して、ブロードキャスト情報を広めることができる。異なるコードを使用するために、隣り合うＢＴＳが割り当てられる。ブロードキャストチャネルを挿入すると、プリアンブルオーバーヘッドが減少し、スペクトル効率が高まる。
【００８１】
特定の基地局に固有の情報を送信するために、ブロードキャストチャネルが使用される。２つのアンテナのための組み合わされたブロードキャストチャネル搬送波で１つのブロードキャストメッセージが送られても良い。パイロットチャネルと同期チャネルとブロードキャストチャネルとから成るようにプリアンブルヘッダシンボルを設計することにより、プリアンブルヘッダのオーバーヘッドが減少する。高速で且つ正確な初期取得を成すことができるように、共通同期チャネルが設計される。ＢＴＳ固有のマッピングされたサインを有する専用パイロットチャネルにより、ＢＴＳ識別を効率的に行なうことができる。ＭＩＭＯチャネル評価のために、共通同期チャネルとパイロットチャネルとが互いに組み合わせられて使用される。また、共通同期チャネルと専用パイロットチャネルとを組み合わせて使用することにより、高精度な同期が可能になる。周波数領域トレーニングシンボルは、タイミングエラーおよびマルチパス環境に対して強い。プリアンブル構造により、自由度のあるユーザ機器は、より効率的なアルゴリズムを実行することができる。
【００８２】
なお、一実施形態における専用パイロットチャネル間での副搬送波の特定の破壊、他の実施形態における専用パイロットチャネルと共通同期チャネルとの間での副搬送波の特定の破壊、他の実施形態における専用パイロットチャネルと共通同期チャネルとブロードキャストチャネルとの間での副搬送波の特定の破壊は、単なる特定の例である。これらは、任意の適当な方法で割り当てることができる。
【００８３】
図６を参照すると、ＭＩＭＯ−ＯＦＤＭ送信機１０の概念的な概略図が示されている。４つのＯＦＤＭシンボル２０１から成る第１のサンプルセットが第１送信アンテナ２１から送信されて示されており、また、４つのＯＦＤＭシンボル２０３から成る第２のサンプルセットが第２送信アンテナ２３から送信されて示されている。一般に、ＯＦＤＭ送信機は、Ｎant送信アンテナを有する。この場合、Ｎantは、設計パラメータである。ＭＩＭＯ−ＯＦＤＭ送信機１０内において、デマルチプレクサ２３から発せられるデータは、送信アンテナ２１に接続された第１のＯＦＤＭ部２４または送信アンテナ２３に接続された第２のＯＦＤＭ部２６のいずれか一方に送られる。これらＯＦＤＭ部は、ＯＦＤＭフレームおよびＯＦＤＭシンボルの副搬送波上にデータを編成する。各副搬送波は、異なる直交する周波数にある。各ＯＦＤＭ部２４，２６はそれぞれ、ヘッダＯＦＤＭシンボルを挿入するヘッダインサータ２９を有する。ＯＦＤＭシンボル２０１，２０３から成るサンプルセットは、送信アンテナ２１，２３からそれぞれ送信されたＯＦＤＭフレームの最初の４つのＯＦＤＭシンボルを示している。この場合、データシンボルまたはパイロットシンボルから成る各列がＯＦＤＭシンボルである。１番目のＯＦＤＭシンボル１３および２番目（１番目と同じ）のＯＦＤＭシンボル１４は、第１送信アンテナ２１によって送信されたＯＦＤＭフレームに固有の２つのヘッダＯＦＤＭシンボルを示している。同様に、３番目のＯＦＤＭシンボル１７および４番目（３番目と同じ）のＯＦＤＭシンボルは、第２送信アンテナ２３によって送信されたＯＦＤＭシンボルに固有の２つのヘッダＯＦＤＭシンボルを示している。４つのＯＦＤＭシンボル１５，１６，１９，２０は、一般に、複数のデータシンボルから成る異なるＯＦＤＭシンボルであり、この場合、少なくとも１つのデータシンボルが各ＯＦＤＭ副搬送波上に参照符号１１で示されている。ＯＦＤＭフレーム全体は、一般に、更に多くのデータシンボルを有する。また、ＯＦＤＭシンボル２０１は、ＯＦＤＭシンボル２０３と同じタイミングで、同時に送信される。
【００８４】
この例において、２つの同一のヘッダＯＦＤＭシンボルは、専用パイロットチャネル副搬送波１２と共通同期チャネル副搬送波９とから成る。また、図示しないブロードキャストチャネル副搬送波があっても良い。専用パイロットチャネル副搬送波は、Ｃ／Ｉ比測定、ＢＴＳ識別、後述する微同期のために使用される。また、これらは、初期チャネル評価のために使用することもできる。共通同期チャネル副搬送波９は、粗同期および微同期、初期アクセス、初期チャネル評価のために使用される。
【００８５】
図示の例において、２つのヘッダＯＦＤＭシンボル中、全部で４つの連続する副搬送波のうちの１番目の副搬送波は、送信アンテナ２１によって送信される専用パイロットチャネルシンボルを搬送するために使用される。同様に、全部で４つの連続する副搬送波のうちの２番目の副搬送波は、送信アンテナ２３によって送信される専用パイロットチャネルシンボルを搬送するために使用される。
【００８６】
パイロットチャネル副搬送波１２，２５上で送信される専用パイロットチャネルシンボルは、基地局／セクタ固有のＰＮシーケンスによって規定される。基地局に固有の複合擬似ランダムＰＮシーケンスからの一連のシンボルは、ヘッダＯＦＤＭシンボル内における専用パイロットチャネル副搬送波の位置にマッピングされる。
【００８７】
２つのヘッダシンボル内における全部で４つの連続する副搬送波のうちの３番目の副搬送波は、送信アンテナ２１によって送信された共通同期チャネルシンボルを搬送するために使用される。同様に、全部で４つの連続する副搬送波のうちの４番目の副搬送波は、送信アンテナ２３によって送信された共通同期チャネルシンボルを搬送するために使用される。
【００８８】
共通同期副搬送波９，２７上で送信される共通同期チャネルシンボルは、各送信アンテナ２１，２３において固有の複合擬似ランダムＰＮシーケンスによって規定される。この複合擬似ランダムＰＮシーケンスからの一連のシンボルは、ヘッダＯＦＤＭシンボル内における共通同期チャネル副搬送波上にマッピングされる。すなわち、各送信アンテナによって送信される各フレームの共通同期チャネルシンボルは、その送信アンテナに固有であるが他の基地局の対応する送信アンテナにとっても同一のＰＮコードを使用する。この例において、ＰＮSYNC(1)は送信アンテナ２１に関連付けられ、ＰＮSYNC(2)は送信アンテナ２３に関連付けられる。しかしながら、通信ネットワーク全体にわたる異なる送信機における同様のアンテナは、同じＰＮコードを使用する。例えば、ネットワーク内の全ての送信機の第１の送信アンテナ２１における共通同期チャネルシンボルは、１つのＰＮコード（ＰＮSYNC(1)）を使用し、ネットワーク内の全ての送信機の第２の送信アンテナ２２における共通同期チャネルシンボルは、異なる１つのＰＮコード（ＰＮSYNC(2)）を使用する。
【００８９】
図７−１を参照すると、前述した各送信アンテナによって送信される２つの繰り返されたＯＦＤＭヘッダシンボルに基づいて粗同期を行なうようになっているＭＩＭＯ−ＯＦＤＭ受信機機能のブロック図が示されている。ＯＦＤＭ受信機は、第１受信アンテナ７３４と第２受信アンテナ７３５とを有する（より一般的には、複数のＮ個の受信アンテナがあるが）。第１受信アンテナ７３４は、ＲＦ受信機７３６で第１の受信信号を受ける。第１の受信信号は、図６の２つの送信アンテナ２１，２３によって送信された２つの信号の組み合わせであるが、２つの各信号は、各送信アンテナと受信アンテナ７３４との間の各チャネルによって変更されてしまう。第２受信アンテナ７３５は、ＲＦ受信機７３９で第２の受信信号を受ける。第２の受信信号は、２つの送信アンテナ２１，２３によって送信された２つの信号の組み合わせであるが、２つの各信号は、各送信アンテナと受信アンテナ７３５との間の各チャネルによって変更されてしまう。４つのチャネル（２つの各送信アンテナと２つの各受信アンテナとの間にあるチャネル）は、時間および周波数に伴って変化するとともに、一般には、互いに異なっている。
【００９０】
１番目のヘッダシンボルの開始位置の場所のおおよその範囲を決定するため、受信信号の個々の時間サンプルに関し、第１受信アンテナ７３４のための粗同期が粗同期装置７３７により行なわれる。第２アンテナ７３５に関しても同様のプロセスが粗同期装置７４１により行なわれる。粗同期は、繰り返されたヘッダシンボルをＯＦＤＭ送信機で使用することにより簡略化される。粗同期装置７３７は、連続するＯＦＤＭシンボル内の時間領域信号サンプルに関して相関測定を行なう。最も高い相関測定をもたらす時間領域信号サンプルは、粗同期位置ｎcoarseである。その後、粗同期位置ｎcoarseが使用され、この粗同期位置ｎcoarseに基づいて、微同期で使用されるＦＦＴ機能内でＦＦＴウインドウの場所が見つけられる。
【００９１】
最初に、粗同期装置７３７は、時間領域粗同期処理を開始する。ランニングバッファ（図示せず）は、３つの連続するＯＦＤＭシンボル期間にわたって受信信号の個々の時間サンプルをバッファリングするために使用されるとともに、その後、２つの連続するＯＦＤＭシンボル持続時間中に集められたサンプル間の自己相関関係γt（ｎ）を以下のように計算する。
【００９２】
【数１】
2005506757.tif 000003
【００９３】
ここでｘ（ｎ）は、受信信号の時間領域サンプルであり、Ｎheaderは、１つのＯＦＤＭシンボル持続時間にわたって取得されたサンプル数である。
【００９４】
幾つかの実施形態においては、計算能力を蓄えるために、リアルタイム実施で、可動相関器が適用される。
【００９５】
一実施形態においては、相関値が閾値を上回るまで、ｎ＝１（ｎ＝Ｎheaderとなるまで）に関して、γt（ｎ）の値が次々に計算される。その後、最大値検索が可能になる。相関値の計算が続き、相関結果が再び閾値を下回るまで最大値検索処理が続く。最大相関値に対応するサンプル位置が粗同期位置である。すなわち、
【００９６】
【数２】
2005506757.tif 000004
【００９７】
閾値は、一般に、１フレーム内の平均自己相関値から計算される。あるいは、最大値を見つける他の方法は、例えば全長にわたって６０個のシンボルがあるＯＦＤＭフレームにわたって各ＯＦＤＭシンボルのための極大値を決定することである。その後、極大値の最大となる全体の最大値が取得される。このプロセスは、両方の粗同期で行なわれる。微同期を同時に進行させる場合、全体の粗同期位置は、２つの同期値の幾つかの組み合わせとして取得されても良く、また、そのように決定された２つの粗同期位置のうちの早い方となるべく取得されることが好ましい。もう１つの方法として、各微同期装置（後述する）は、各粗同期位置から機能することができる。図７−２を参照すると、ＭＩＭＯ−ＯＦＤＭ微同期機能のブロック図が示されている。一実施形態において、微同期機能は、共通同期チャネル及び／又は専用パイロットチャネルを使用して前述したように各送信アンテナによって送信される２つの繰り返されたＯＦＤＭヘッダシンボルに基づいて微同期を行なうようになっている。更に一般的には、微同期機能は、幾つかの知られたトレーニングシーケンスが内部に組み込まれたＯＦＤＭフレームのために微同期を行なうことができる。また、微同期プロセスへの入力は、粗同期位置である。この粗同期位置は、前述した方法を使用して、あるいは、任意の他の適当な方法を使用して決定されても良い。図７−１の構成要素と同じ構成要素は、同様の参照符号が付されるとともに、実際の実施においては、図７−１と共通の同期装置が使用される場合に共有される。図７−２の機能は、１または複数の受信アンテナ毎に再現される。
【００９８】
微同期プロセスは、１または複数の受信アンテナ毎に行なわれ、その後、微同期位置の組み合わせに基づいて、全体の同期位置が取得される。概略的には、粗同期装置が粗同期位置（Ｓ）ｎcoarseを決定すると、各微同期装置は、粗同期位置の両側で信号サンプルに関してＦＦＴを行ない、ＯＦＤＭ副搬送波の周波数帯域にわたって周波数領域成分を形成する。各微同期装置は、周波数領域成分を検索して、ＦＦＴウインドウの正確な場所を見つける。ＦＦＴウインドウの正確な位置は、周波数領域内でＯＦＤＭ復調を行なうために必要とされる。微同期装置は、粗同期位置ｎcoarseに対して規定される検索ウインドウ内の周波数成分と周知のＰＮコード（ＰＮSYNC(1)およびＰＮSYNC(2)）との間で相関測定を行なうことにより、ＦＦＴウインドウの正確な場所を見つける。各微同期装置によって行なわれる相関測定は、周波数領域内で行なわれ、また、周知の各ＰＮコード（ＰＮSYNC(1)およびＰＮSYNC(2)）毎に、すなわち、送信アンテナ２１，２３毎に（あるいは、存在する１または複数の送信アンテナに関して）、一組の相関測定が行なわれる。
【００９９】
各微同期装置は、検索ウインドウ内で最初の信号サンプルから始まるＮsymbol個の信号サンプルを選択する。ここで、Ｎsymbolは、ＯＦＤＭシンボル内の信号サンプルの数である。送信アンテナ毎に、各微同期装置は、周波数領域信号サンプルと送信アンテナに対応するＰＮコードとの間で相関測定を決定する。
【０１００】
更に具体的には、微同期検索は、ｎcoarseの近傍で行なわれる。検索ウインドウが２Ｎ＋１である場合、検索範囲は（ｎcoarse−Ｎ）から（ｎcoarse＋Ｎ）までである。仮に、ｎcoarse（ｉ）＝ｎcoarse＋Ｎ−ｉが微検索ウインドウ内のサンプルインデックスを表わすとする。ここで、ｉ＝０，．．．．，２Ｎである。微同期は、ｉ＝０から始まる。その後、ｎstart（０）から始まるＮsymbol個のサンプルが取得されて、プレフィックスが除去され、ＦＦＴが行なわれる。周波数領域内で受信されたＯＦＤＭシンボルは、以下のように書くことができる。
【０１０１】
【数３】
2005506757.tif 000005
【０１０２】
ここで、Ｎprefixは、プレフィックスサンプルの数であり、ＮFFTは、ＦＦＴサイズである。
【０１０３】
異なる送信機の共通同期チャネルによって搬送される複合データＲ(j,k)SYNCがＲから抽出される。これは、ＭＩＭＯ ＯＦＤＭシステム内の異なる送信機間で共通同期チャネルが分割されるからである。更に一般的には、送信されたトレーニングシーケンスに対応する複合データが抽出される。Ｒ(j,k)SYNCとＰＮ*(j)SYNCとの間の相関は、以下の通りである。
【０１０４】
【数４】
2005506757.tif 000006
【０１０５】
ここで、ｊ＝１，２，．．．．，ＮTXは送信機を示しており、ｋ＝１，２，．．．，ＮRXは受信機を示しており、ＰＮ(j)SYNCはｊ番目の送信機のための共通ＳＹＮＣ ＰＮコードであり、ＮSYNCは共通ＰＮコードのサイズである。
【０１０６】
その後、開始点インデックスｎstartが一つの（ｎstart（１）＝ｎstart（０）−１）だけシフトされ、他のＮsymbolサンプルが前述したように処理される。新たな周波数領域データＲ(j,k)SYNC（ｍ，ｉ）を得るため、我々は、ＦＦＴを再び行なう必要がある。この目的のため、反復法を使用して、計算の複雑性を減らすことができる。すなわち、
【０１０７】
【数５】
2005506757.tif 000007
【０１０８】
ここで、ＮＦＦＴはＦＦＴサイズである。Ｒ(j,k)SYNC（ｍ，ｉ）を抽出して、新たな相関関係が計算される。前述した手順は、ｎstartが微検索ウインドウから出るまで続けられる。
【０１０９】
【数６】
2005506757.tif 000008
【０１１０】
各受信アンテナ毎に、異なるアンテナからの相関結果の積の最大値に対応するｎstart（ｉ）をｉ＝０，．．．．，２Ｎにわたって見つけることにより、１５の各微同期位置を見つけることができる。数学的に説明すると、ｋ番目の受信アンテナにおいては、以下にしたがって各微同期位置を選択することができる。
【０１１１】
【数７】
2005506757.tif 000009
【０１１２】
誤りの警報の可能性を減らすために、基準が設定されても良い。例えば、以下の条件が満たされている場合には、微同期が達成されていると見なして良い。
【０１１３】
【数８】
2005506757.tif 000010
【０１１４】
ここで、Ｎthresholdは予め設定された微検索ウインドウサイズによって決定されるファクターである。その後、異なる受信アンテナのために決定される微同期位置のうちの最も早いものとなるように全体の微同期位置が取得されることが好ましい。
【０１１５】
１つの受信アンテナのための微同期プロセスが図７−２に概略的に示されている。第１受信アンテナ７３６の出力において、ブロックＤ0 ７３８〜Ｄ2N ７４２は、様々な候補微同期位置（全部で２Ｎ＋１個）のためのＦＦＴブロック７４４，．．．，７４８のアライメントを示している。ＦＦＴブロック７４４，．．．，７４８は、サンプルの各セットに関してＦＦＴを計算する。各ＦＦＴ出力は、各送信アンテナにおける相関器ブロックに送られる。２つの送信アンテナがある場合には、１つのＦＦＴ出力毎にそのような相関器ブロックが２つある。例えばＦＦＴ７４４は、第１の送信アンテナにおける第１の相関器ブロック７４５に対して送られる出力と、第２の送信アンテナにおける第２の相関ブロック７５５に対して供給される出力とを有する。なお、トレーニングシーケンス（前述した例では、共通同期シーケンスまたはパイロットチャネルシーケンス）を送信するために副搬送波の間隔が使用される場合には、トレーニングシーケンスの構成要素を回復させるために全てのＦＦＴを完了させる必要はない。第１のアンテナにおける相関器ブロック７４５は、乗算器７４７を用いて、ＦＦＴ出力の回復されたトレーニングシーケンスシンボル位置と、第１送信アンテナにおける周知のトレーニングシーケンスとを掛け合わせ、これらの掛け算は、加算器７５１で加算される。第２送信アンテナの周知のトレーニングシーケンスおよび第２送信アンテナにおけるトレーニングシーケンス位置に関して、これと同じ計算が相関器７５５でも行なわれる。これは、各送信アンテナにおいて想定しうる異なるシフトの全てに関して、第１受信機で行なわれる。想定しうる各シフトにおける異なる送信アンテナにわたる相関結果は、乗算器７５３で一括して乗算される。これらの乗算の最大値を結果的に生じるシフトは、特定の受信機における微同期位置となるように選択される。任意の他の受信アンテナに関しても同じプロセスが行なわれ、また、全体の微同期位置は、そのように計算された微同期位置のうちの最も早いものとして取得されることが好ましい。
【０１１６】
同期位置ドリフトまたはロスの場合には、フレーム毎にタイミング同期を監視することができる。例えば、前述したプリアンブルを使用するシステムにおいては、プリアンブルが受信機に達する度に、粗同期および微同期における同じ方法を使用して２段階同期プロセスが繰り返される。この場合、同期位置のドリフトが現在の位置の略近傍にあるという前提に基づいて、より小さい検索ウインドウＮが使用されても良い。取得後、様々なＢＴＳにおける専用パイロットチャネルを変調するために割り当てられた専用パイロットチャネルコードを相関器で使用することができ、または、共通同期シーケンスあるいは他の幾つかのトレーニングシーケンスを使用することができる。
【０１１７】
複数の送信アンテナを有するＭＩＭＯ−ＯＦＤＭ送信機に関して、本発明の一実施形態を説明してきた。ＯＦＤＭ送信機によって周知のトレーニングシーケンスがフレーム内に挿入されるのであれば、ＯＦＤＭ受信機で同期を行なう前記方法は、たった１つの送信アンテナを有するＯＦＤＭ送信機から受けた信号に対して適用されても良い。
【０１１８】
最後に、ここまで説明してきた本発明の実施形態においては、複数のアンテナを有する１つの送信機および複数のアンテナを有する１つの受信機だけが存在した。しかしながら、本発明の概念は、多くのＭＩＭＯ−ＯＦＤＭ送信機および多くのＭＩＭＯ−ＯＦＤＭ受信機を有するマルチセルラー環境を包含するように広げられる。
【０１１９】
［マルチセルラー環境でのアクセス］
マルチセルラー環境でのシステムアクセスは、同じ共通のパイロットシンボルを送信する多くの送信機があるため、セル選択という新たな問題を招く。本発明の他の実施形態においては、先に紹介した送信ヘッダが受信機によって使用されることにより、システムアクセスおよびセル選択が行なわれる。
【０１２０】
最初の取得中、粗同期を行なうことにより、ＵＥが動き始める。これは、前述した方法または幾つかの他の方法を使用して行なわれても良い。１フレーム持続時間後、粗同期位置が決定される。その後、共通同期チャネルに基づいて、微同期検索アルゴリズムが行なわれる。共通同期チャネルによって搬送されるデータは全てのＢＴＳにおいて同じであるため、マルチセル環境およびマルチパスフェージング伝播チャネルにおいて幾つかのフィンガー（ピーク）を観察することができる。これらのフィンガーは、通常、異なるＢＴＳ及び／又は異なるパスに対応している。図８を参照すると、サンプルインデックスの関数としてマルチセルラー環境下で計算された微同期（共通同期チャネルに対する微同期）未加工出力の一例が示されている。この例においては、５つの重要なフィンガー４００，４０２，４０４，４０６および４０８が存在している。Ｍ個の最も強いフィンガーが選択されるとともに、対応する位置が見つけられる。ここで、Ｍは、システム設計パラメータである。これらの位置は、最終同期のための候補として、また、ＢＴＳ識別が成される位置として使用される。
【０１２１】
図８の結果では、ＢＴＳが同じ共通同期シーケンスを送信するため、ＢＴＳ識別を行なうことができない。想定しうる全ての隣り合うＢＴＳの存在に関して走査するため、各候補同期位置で、受信された専用パイロットチャネル副搬送波と、異なるＢＴＳに対して割り当てられた想定しうる全ての複合シーケンス（専用パイロットＰＮシーケンス）との相関が計算される。送信アンテナが複数ある場合、好ましくはこの相関は、専用パイロット副搬送波の全てにわたって組み合わされた複数のアンテナの専用パイロットＰＮシーケンスに基づいて行なわれ、これにより、インデックス毎に１つの相関結果が形成される。図９は、ＢＴＳ走査結果とチェック点（候補同期位置）との間の関係の一例を示している。ＢＴＳ識別は、各候補同期位置での最大相関値に対応するＰＮコードを検出することにより実現される。各チェック点での全ての相関結果に基づいて、Ｃ／Ｉを計算することができる。最初の取得段階で、最も大きいＣ／Ｉ比を有するＢＴＳを選択することにより、セル選択が決定される。この例においては、２つのＢＴＳ、すなわち、第１のＢＴＳ ＢＴＳ１および第２のＢＴＳ ＢＴＳ２が識別される。マルチアンテナ受信機ダイバーシティを用いる場合、セル選択の最終決定は、受信機における異なる受信機アンテナによって得られる最も高いＣ／Ｉの比較に基づかなければならない。
【０１２２】
最終同期位置を得るため、微同期が再び行なわれる。しかしながら、この場合、ＢＴＳ識別によって見出された専用複合シーケンスと専用パイロットチャネルとが使用される。微同期位置の周りで、より小さい検索ウインドウが使用される。異なる受信機からの最終同期結果が比較される。時間的に最も早いサンプルに対応する位置が、最終同期位置として使用される。このステップは、短期フェージングに起因して弱いパス（マルチパス）が選択される可能性を減らすものである。誤りの警報の可能性を減らすため、閾値が設定される。この閾値は、検索ウインドウ内での相関の平均および最終同期位置に対するフィンガー強度の比であっても良い。
【０１２３】
通常のデータ処理段階においては、新たなプリアンブルを受けると、微同期ステップとＢＴＳ識別ステップとがフレーム毎に繰り返される。しかし、候補ＰＮコードの僅かなセットがＢＴＳ走査で適用される。ＢＴＳ識別後、強い干渉を捜すことにより、ＢＴＳ候補リストを形成することができる。このリストは、定期的に、例えば１０ｍｓ毎に、更新されるとともに、ＢＴＳスイッチおよび更にはソフトハンドオフに関する情報を提供する。ＢＴＳスイッチおよびソフトハンドオフをトリガーするために、特定の基準を設定することができる。フェージングからの衝撃を平均化するため、ＢＴＳ切換およびソフトハンドオフに関する決定は、特定の期間中の観察に基づいていても良い。基準は、Ｃを表わす最大相関値と最も強いＩとの比較であっても良い。なお、セルスイッチおよびソフトハンドオフ後に、最初のアクセス時の最後のステップにより、同期が調整されても良い。全体のセル選択および再選択方法が図１０に示されている。
【０１２４】
第１のステップ６００においては、例えば時間領域のプリアンブルヘッダに基づいて、粗同期が行なわれる。これは、２つの同じシンボルを探すことにより各フレーム間で粗い境界を見つけることを含む。ピークが見つかるまで隣り合うシンボル持続時間にわたってサンプルを相関することにより、これが行なわれる。ステップ６００は、２つの隣り合う同じシンボルから始まるフレームのプリアンブルに依存している。
【０１２５】
次に、ステップ６０２中、粗同期ピークで、ＦＦＴが計算され、周波数領域での共通同期チャネルの処理へ切り換えられる。検索ウインドウが同期位置＋／−特定数のサンプルに中心付けられる。ステップ６０４により、Ｍ個の最も強い相関ピークが選択される。この時、各ピークがどのＢＴＳに関連付けられているかは分からない。ＢＴＳ識別はまだ決定されない。
【０１２６】
その後、ステップ６０６で、各相関ピーク毎に、ＦＦＴが再び計算され、専用パイロットチャネルを使用して、微同期手続きに関連付けられた相関が計算される。この場合、前記専用パイロットチャネルは、基地局固有の複合シーケンスを含む。この後、直ぐに、ステップ６０８が行なわれる。このステップ６０８では、関連する基地局の識別が行なえるように、ＢＴＳ識別複合シーケンスとの相関が行なわれる。ステップ６１０では、このように識別されたＢＴＳ毎に、Ｃ／Ｉ比が計算される。ステップ６１２では、これらのＣ／Ｉ比に基づいて、ＢＴＳ選択およびＢＴＳ切換えが行なわれる。前述したように、ＢＴＳ切換えは、幾らかの時間間隔にわたって平均化されたこれらのＣ／Ｉ比に基づいて行なわれる。
【０１２７】
最後に、アクセスのため、ステップ６１４により、ＦＦＴが計算されるとともに、最も大きいＣ／Ｉ比を有するＢＴＳの専用パイロットチャネルに対して微同期が適用される。
【０１２８】
ＢＴＳ初期同期は、共通同期チャネルにおいて行なわれる。ＢＴＳ固有のシーケンスが周波数領域に組み込まれ、ＭＩＭＯ−ＯＦＤＭチャネル間干渉を排除できる周波数領域でＢＴＳ識別処理が行なわれる。各ＭＩＭＯ−ＯＦＤＭ ＢＴＳ毎に、パイロットチャネルに基づいて、ＢＴＳ能力評価が行なわれる。ＢＴＳ選択は、Ｃ／Ｉ比測定に基づいて行なわれる。
【０１２９】
このように、ＢＴＳ同期とセル選択とを組み合わせることにより、過酷なマルチパスチャネル・高干渉環境下で、扱っているＢＴＳの識別および同期を向上させることができる。チャネル評価は、共通同期チャネルと専用パイロットチャネルとを組み合わせることにより行なわれても良い。Ｃ／Ｉ評価により、セル切換え及びソフトハンドオフに関して基準が設けられる。
【０１３０】
前述した例では、前述したプリアンブルに組み込まれたパイロットチャネルおよび同期チャネルに基づいてアクセスした。更に一般的には、任意の適当な方法でＯＦＤＭシンボルストリーム内に組み込まれたそのようなチャネルを用いてアクセスできる。
【０１３１】
以上の説明は、本発明の原理の単なる適用例である。当業者であれば、本発明の精神および範囲から逸脱することなく、他の構成および方法を実施することができる。
【図面の簡単な説明】
【０１３２】
【図１−１】時間領域におけるＩＥＥＥ ８０２．１１規格のフレーム構造を示す図である。
【図１−２】周波数領域における図１−１のフレーム構造を示す図である。
【図２−１】本発明の一実施形態によって提供されるパケットデータフレームを示す図である。
【図２−２】本発明の一実施形態によって提供されるパケットフレーム階層を示す図である。
【図３】本発明の一実施形態によって提供される提案されたヘッダ構造を示す図である。
【図４】本発明の一実施形態によって提供される時間領域におけるプリアンブルヘッダ構造を示す図である。
【図５】本発明の一実施形態によって提供される周波数領域におけるプリアンブルヘッダ構造を示す図である。
【図６】本発明の一実施形態によって提供されるＭＩＭＯ−ＯＦＤＭ送信機の概念的な概略図である。
【図７−１】ＭＩＭＯ−ＯＦＤＭ粗同期機能のブロック図である。
【図７−２】ＭＩＭＯ−ＯＦＤＭ微同期機能のブロック図である。
【図８】幾つかの候補同期位置を示すパイロットチャネルにおけるサインシーケンス相関出力のプロットである。
【図９】ＢＴＳ識別シミュレーションのプロットである。
【図１０】本発明の一実施形態によって提供されるＭＩＭＯ−ＯＦＤＭにおけるセル選択および再選択のための方法のフローチャートである。
【符号の説明】
【０１３３】
５，１３〜２０，２０１，２０３，４０８，４１０，４１２，４１４，７１６，７１８  ＯＦＤＭシンボル
９  共通同期副搬送波
１０  ＭＩＭＯ−ＯＦＤＭ送信機
１１  データシンボル
１２  パイロットチャネル副搬送波
２１  第１送信アンテナ
２３  第２送信アンテナ
２４  第１のＯＦＤＭ部
２５  パイロットチャネル副搬送波
２６  第２のＯＦＤＭ部
２７  共通同期副搬送波
３０  データＯＦＤＭシンボル
２０５  ＴＰＳ ＯＦＤＭシンボル
２０７  トレーニングＯＦＤＭシンボル
３００  プリアンブル
３０２  分散パイロット
３０４  トラフィックデータシンボル
４００，４０２  フィンガー
４０４，４０６，７００，７０２，７０４，７０６，７０８，７１０  副搬送波
５００  ＯＦＤＭスーパーフレーム
５０２  １０ｍｓＯＦＤＭフレーム
５０４  ＴＰＳフレーム
５０６  スロット
５０８  プリアンブルＯＦＤＭシンボル
５１０  レギュラーデータシンボル
６０３，６０５，７１２，７１４  ヘッダＯＦＤＭシンボル
６０７  プレフィックス
７３４  第１受信アンテナ
７３５  第２受信アンテナ
７３６  ＲＦ受信機
７３７，７４１  粗同期装置
７３８，７４０，７４２  ブロック
７３９  ＲＦ受信機
７４４，７４６，７４８  ＦＦＴ
７４５  第１の相関器ブロック
７５１  加算器
７５３  乗算器
７５５  相関器
【図１−１】
2005506757.tif 000011
【図１−２】
2005506757.tif 000012
【図２−１】
2005506757.tif 000013
【図２−２】
2005506757.tif 000014
【図３】
2005506757.tif 000015
【図４】
2005506757.tif 000016
【図５】
2005506757.tif 000017
【図６】
2005506757.tif 000018
【図７−１】
2005506757.tif 000019
【図７−２】
2005506757.tif 000020
【図８】
2005506757.tif 000021
【図９】
2005506757.tif 000022
【図１０】
2005506757.tif 000023
【国際公開パンフレット】
2005506757.tif 000024
2005506757.tif 000025
2005506757.tif 000026
2005506757.tif 000027
2005506757.tif 000028
2005506757.tif 000029
2005506757.tif 000030
2005506757.tif 000031
2005506757.tif 000032
2005506757.tif 000033
2005506757.tif 000034
2005506757.tif 000035
2005506757.tif 000036
2005506757.tif 000037
2005506757.tif 000038
2005506757.tif 000039
2005506757.tif 000040
2005506757.tif 000041
2005506757.tif 000042
2005506757.tif 000043
2005506757.tif 000044
2005506757.tif 000045
2005506757.tif 000046
2005506757.tif 000047
2005506757.tif 000048
2005506757.tif 000049
2005506757.tif 000050
2005506757.tif 000051
2005506757.tif 000052
2005506757.tif 000053
2005506757.tif 000054
2005506757.tif 000055
2005506757.tif 000056
2005506757.tif 000057
2005506757.tif 000058
2005506757.tif 000059
2005506757.tif 000060
2005506757.tif 000061
2005506757.tif 000062
2005506757.tif 000063
2005506757.tif 000064
2005506757.tif 000065
2005506757.tif 000066
2005506757.tif 000067
2005506757.tif 000068
2005506757.tif 000069
2005506757.tif 000070
2005506757.tif 000071
2005506757.tif 000072
2005506757.tif 000073
2005506757.tif 000074
2005506757.tif 000075
2005506757.tif 000076
2005506757.tif 000077
2005506757.tif 000078
2005506757.tif 000079
2005506757.tif 000080
2005506757.tif 000081
2005506757.tif 000082
2005506757.tif 000083
2005506757.tif 000084
2005506757.tif 000085
2005506757.tif 000086
2005506757.tif 000087
2005506757.tif 000088
【国際公開パンフレット（コレクトバージョン）】
2005506757.tif 000089
2005506757.tif 000090
【国際公開パンフレット（コレクトバージョン）】
2005506757.tif 000091
2005506757.tif 000092
【手続補正書】
【提出日】平成16年1月12日(2004.1.12)
【手続補正１】
【補正対象書類名】特許請求の範囲
【補正対象項目名】全文
【補正方法】変更
【補正の内容】
【特許請求の範囲】
【請求項１】
複数のアンテナのそれぞれにおいてヘッダＯＦＤＭシンボルの副搬送波が副搬送波の非連続なセットに分割されるというヘッダシンボルフォーマットを送信するようになっており、
各アンテナは、副搬送波の各セット上でのみ前記ヘッダＯＦＤＭシンボルを送信する、ＭＩＭＯ−ＯＦＤＭ送信機。
【請求項２】
Ｎ個のアンテナが存在し、Ｎ個の副搬送波によって分離された副搬送波の異なるセットが前記複数のアンテナのそれぞれに対して割り当てられる、請求項１に記載のＭＩＭＯ−ＯＦＤＭ送信機。
【請求項３】
前記ヘッダシンボルは、前記複数のアンテナのそれぞれにおいて、専用パイロットチャネル副搬送波上に、多重化された専用パイロットチャネルを含むとともに、共通同期チャネル副搬送波上に、共通同期チャネルを含む、請求項１に記載のＭＩＭＯ−ＯＦＤＭ送信機。
【請求項４】
前記ヘッダＯＦＤＭシンボルは、前記複数のアンテナのそれぞれにおいて、多重化されたブロードキャスト副搬送波を更に含む、請求項３に記載のＭＩＭＯ−ＯＦＤＭ送信機。
【請求項５】
プレフィックスと、該プレフィックスの後に続き且つ前記ヘッダＯＦＤＭシンボルフォーマットを有する２つの同一のＯＦＤＭシンボルとを有するプリアンブルを送信するようになっている、請求項１に記載のＭＩＭＯ−ＯＦＤＭ送信機。
【請求項６】
前記プレフィックスは、前記２つの同一のＯＦＤＭシンボルの巡回拡張子である、請求項５に記載のＭＩＭＯ−ＯＦＤＭ送信機。
【請求項７】
前記専用パイロットチャネル副搬送波は、効率的なＢＴＳ識別を行なうことができるＢＴＳ固有のマッピングされた複合シーケンスを有する、請求項３に記載のＭＩＭＯ−ＯＦＤＭ送信機。
【請求項８】
前記共通同期チャネルは、高速で且つ正確な初期取得を行なえるように設計されている、請求項３のいずれか一つに記載のＭＩＭＯ−ＯＦＤＭ送信機。
【請求項９】
前記共通同期チャンネルは、粗同期および微同期のために使用され、前記専用パイロットチャンネルは、微同期のために使用される、請求項３に記載のＭＩＭＯ−ＯＦＤＭ送信機。
【請求項１０】
前記共通同期チャンネルは、１つの送信機の送信アンテナ毎に異なるが通信ネットワーク内の様々な送信機の各送信アンテナに共通する複合シーケンスを送信するために使用される、請求項３に記載のＭＩＭＯ−ＯＦＤＭ送信機。
【請求項１１】
前記プリアンブルから始まるＯＦＤＭフレームを送信するようになっており、前記ＯＦＤＭフレームは、各ＯＦＤＭフレーム内の残りのＯＦＤＭシンボルにわたって分散パイロットを有する、請求項５に記載のＭＩＭＯ−ＯＦＤＭ送信機。
【請求項１２】
前記プリアンブル中、Ｎ個の送信アンテナのそれぞれにおいて、専用パイロットチャネル副搬送波が送信され、共通同期チャネル副搬送波が送信され、ブロードキャストチャネル副搬送波が送信される、請求項５に記載のＭＩＭＯ−ＯＦＤＭ送信機。
【請求項１３】
前記プリアンブルのＯＦＤＭシンボルの副搬送波は、所定の順序で配置される｛Ｎ個の送信アンテナのそれぞれにおける専用パイロットチャネル，Ｎ個の送信アンテナのそれぞれにおける共通同期チャネル副搬送波｝から成る繰り返しシーケンスとして編成される、請求項５に記載のＭＩＭＯ−ＯＦＤＭ送信機。
【請求項１４】
前記プリアンブルのＯＦＤＭシンボルの副搬送波は、所定の順序で配置される｛Ｎ個の送信アンテナのそれぞれにおける少なくとも１つの専用パイロットチャネル副搬送波，Ｎ個の送信アンテナのそれぞれにおける少なくとも１つの共通同期チャネル副搬送波，少なくとも１つのブロードキャストチャネル副搬送波｝から成る繰り返しシーケンスとして編成される、請求項５に記載のＭＩＭＯ−ＯＦＤＭ送信機。
【請求項１５】
ヘッダＯＦＤＭシンボルの副搬送波が複数のアンテナのそれぞれにおいて副搬送波の非連続なセットに分割されるというヘッダシンボルフォーマットを受信するようになっており、
各アンテナは、副搬送波の各セット上でのみ前記ヘッダＯＦＤＭシンボルを送信する、ＭＩＭＯ−ＯＦＤＭ受信機。
【請求項１６】
Ｎ個の送信アンテナから受信するようになっており、Ｎ個の副搬送波によって分離された副搬送波の異なるセットが複数の各送信アンテナに対して割り当てられる、請求項１５に記載のＭＩＭＯ−ＯＦＤＭ受信機。
【請求項１７】
前記ヘッダＯＦＤＭシンボルは、前記複数の送信アンテナのそれぞれにおいて、多重化された専用パイロットチャネル副搬送波と共通同期チャネル副搬送波とを含む、請求項１５に記載のＭＩＭＯ−ＯＦＤＭ受信機。
【請求項１８】
前記ヘッダＯＦＤＭシンボルは、前記複数のアンテナのそれぞれにおいて、多重化されたブロードキャスト副搬送波を更に含む、請求項１７に記載のＭＩＭＯ−ＯＦＤＭ受信機。
【請求項１９】
プレフィックスと、該プレフィックスの後に続き且つ前記ヘッダＯＦＤＭシンボルフォーマットを有する２つの同一のＯＦＤＭシンボルとを有するプリアンブルを受信するようになっている、請求項１５に記載のＭＩＭＯ−ＯＦＤＭ受信機。
【請求項２０】
前記専用パイロットチャネルは、ＢＴＳ固有のマッピングされた複合シーケンスを有し、本ＭＩＭＯ−ＯＦＤＭ受信機は、該専用パイロットチャネルに基づいてＢＴＳ識別を行なうようになっている、請求項１５に記載のＭＩＭＯ−ＯＦＤＭ受信機。
【請求項２１】
前記専用パイロットチャネルは、ＢＴＳ固有のマッピングされた複合シーケンスを有し、本ＭＩＭＯ−ＯＦＤＭ受信機は、該専用パイロットチャネルに基づいてＢＴＳ識別を行なうようになっている、請求項１９に記載のＭＩＭＯ−ＯＦＤＭ受信機。
【請求項２２】
前記ヘッダＯＦＤＭシンボルは、複数の送信アンテナのそれぞれにおいて、多重化された専用パイロットチャネル副搬送波と、共通同期チャネル副搬送波とを含み、本ＭＩＭＯ−ＯＦＤＭ受信機は更に、互いに同一の連続するＯＦＤＭシンボル間で相関ピークを探すことにより、前記共通同期チャネルにおいて粗同期を行なうようになっている、請求項２１に記載のＭＩＭＯ−ＯＦＤＭ受信機。
【請求項２３】
前記共通同期チャネル副搬送波及び／又は前記専用パイロットチャネル副搬送波に基づいて微同期を更に行なうようになっている、請求項２２に記載のＭＩＭＯ−ＯＦＤＭ受信機。
【請求項２４】
パケットデータフレーム構造を送信するようになっている送信機であって、
ネットワークの同期期間に対応する長さを有するスーパーフレームを備え、
前記スーパーフレームは、複数の無線フレームを含み、
各無線フレームは、適応コーディング及び変調期間に対応する複数のＴＰＳ（送信パラメータ信号）フレームを含み、
各ＴＰＳフレームは、エアーインタフェーススロットサイズに対応する複数のスロットを含み、
各スロットは複数のＯＦＤＭシンボルを含み、各ＯＦＤＭフレームの最初のＴＰＳフレームの最初のスロットの最初の２つのシンボルは、ヘッダＯＦＤＭシンボルとして使用される、送信機。
【請求項２５】
前記ヘッダＯＦＤＭシンボルは、該ヘッダＯＦＤＭシンボルの副搬送波が複数のアンテナのそれぞれにおいて副搬送波の非連続なセットに分割されるというヘッダＯＦＤＭシンボルフォーマットを有し、各アンテナは、副搬送波の対応するセット上でのみ前記ヘッダＯＦＤＭシンボルを送信する、請求項２４に記載の送信機。
【請求項２６】
前記ヘッダＯＦＤＭシンボルは、複数のアンテナのそれぞれにおいて、多重化された専用パイロットチャネル副搬送波を含むとともに、共通同期チャネル副搬送波を含む、請求項２４に記載の送信機。
【請求項２７】
前記ヘッダＯＦＤＭシンボルは、前記複数のアンテナのそれぞれにおいて、多重化されたブロードキャストチャネル副搬送波を更に含む、請求項２４に記載の送信機。
【請求項２８】
スロット持続時間が変わることなく且つスロットよりも上のフレーム構造を変えることなく１スロット毎に異なる数のＯＦＤＭシンボルを送信することにより、複数の異なるモードで送信するようになっている、請求項２４に記載の送信機。
【請求項２９】
１スロット当たりのＯＦＤＭシンボルの数が増大するモードは、サンプリング周波数を変えることなくＯＦＤＭシンボル持続時間およびＦＦＴサイズを短くすることにより実現される、請求項２８に記載の送信機。
【請求項３０】
ＴＰＳフレーム毎にユーザの各組に対して送信するとともに、どのユーザがＴＰＳフレーム全体を復調するべきかの信号をＴＰＳフレーム毎に送信するようになっている、請求項２４に記載の送信機。
【請求項３１】
請求項２４に記載の送信機によって送信されるＯＦＤＭフレームを受信して処理するようになっている受信機。
【請求項３２】
ＯＦＤＭ受信機で同期を行なう方法であって、
少なくとも１つの受信アンテナのそれぞれで、受信信号をサンプリングして、時間領域サンプルの各セットを形成し、
少なくとも１つの粗同期位置を決定し、
少なくとも１つの受信アンテナのそれぞれで、
ａ）前記少なくとも１つの粗同期位置のうちの１つに関する複数の候補微同期位置のそれぞれにおいて、
ｉ）受信アンテナ毎に、候補微同期位置に対してＦＦＴウインドウを位置決めするとともに、ＦＦＴにより、時間領域サンプルを周波数領域成分の各セットに変換し、
ｉｉ）前記少なくとも１つの送信アンテナそれぞれにおいて、周波数領域成分のセットから送信アンテナに対応する受信された各トレーニングシーケンスを抽出し、
ｉｉｉ）送信アンテナ毎に、受信された各トレーニングシーケンスと周知の各送信トレーニングシーケンスとの間の相関を計算し、
ｉｖ）少なくとも１つの送信アンテナにおいて相関を組み合わせて、候補同期位置毎に全体の相関結果を形成し、
ｂ）複数の相関値から微同期位置を決定し、
少なくとも１つの受信アンテナからの複数の微同期位置を組み合わせて全体の微同期位置とする、方法。
【請求項３３】
粗同期位置は、受信アンテナ毎に決定されるとともに、各微同期位置を決定するために使用される、請求項３２に記載の方法。
【請求項３４】
粗同期位置が受信アンテナ毎に決定され、これらの位置のうちで最も早い位置が使用されて、全ての受信アンテナにおける微同期位置が決定される、請求項３２に記載の方法。
【請求項３５】
前記粗同期位置は、２つのＯＦＤＭシンボル持続時間にわたって時間領域サンプル間の相関ピークを探すことにより、少なくとも１つの受信アンテナにおいて時間領域で決定される、請求項３３に記載の方法。
【請求項３６】
少なくとも１つの受信アンテナからの複数の微同期位置を組み合わせて全体の微同期位置とすることは、前記微同期位置のうちの最も早い位置を選択することを含む、少なくとも２つのアンテナを有するＯＦＤＭ受信機で適用される、請求項３２に記載の方法。
【請求項３７】
受信信号をサンプリングして時間領域サンプルの各セットを形成することは、少なくとも３つのＯＦＤＭシンボル持続時間において行なわれ、
少なくとも１つの粗同期位置を決定することは、２つのＯＦＤＭシンボル持続時間にわたって受けた前記時間領域サンプル間の相関ピークを探すことにより前記時間領域で粗同期を行ない、
ａ）１つのＯＦＤＭシンボル持続時間を有する第１の期間中に受けた時間領域サンプルの第１のセットと、第１の期間の直ぐ次の第２の期間であってＯＦＤＭシンボル持続時間を有する第２の期間中に受けた時間領域サンプルの第２のセットとの間で計算された相関である複数の相関値のそれぞれを、前記第１の期間における複数の開始時間のそれぞれにおいて計算し、
ｂ）前記複数の相関値で最大となる粗同期位置を特定する、
ことにより、粗同期位置を特定することを含む、請求項３２に記載の方法。
【請求項３８】
少なくとも１つの送信アンテナにおいて相関を組み合わせて、候補同期位置毎に全体の相関結果を形成することは、候補同期位置毎に少なくとも１つの送信アンテナにおける相関を一緒に乗算することを含む、請求項３２に記載の方法。
【請求項３９】
送信アンテナが１つで且つ受信アンテナが１つのシステムに対して適用される、請求項３２に記載の方法。
【請求項４０】
前記トレーニングシーケンスは、共通同期チャネル副搬送波上で受信される、請求項３２に記載の方法。
【請求項４１】
前記トレーニングシーケンスは、ＯＦＤＭフレームプリアンブル中に受信される、請求項３２に記載の方法。
【請求項４２】
前記トレーニングシーケンスは、専用パイロットチャネル副搬送波上で受信される、請求項３２に記載の方法。
【請求項４３】
前記トレーニングシーケンスは、ＯＦＤＭフレームプリアンブル中に受信される、請求項４２に記載の方法。
【請求項４４】
少なくとも１つの受信アンテナと、
前記少なくとも１つの受信アンテナ毎に設けられ、受信信号をサンプリングして、時間領域サンプルの各セットを形成するようになっている受信回路と、
少なくとも１つの粗同期位置を決定するようになっている粗同期装置と、
少なくとも１つのＦＦＴと、少なくとも１つの相関器と、少なくとも１つのコンバイナとを備える微同期装置であって、少なくとも１つの受信アンテナのそれぞれで、
ａ）前記少なくとも１つの粗同期位置のうちの１つに関する複数の各候補微同期位置のそれぞれにおいて、
ｉ）受信アンテナ毎に、前記候補微同期位置に対してＦＦＴウインドウを位置決めするとともに、ＦＦＴにより、前記時間領域サンプルを周波数領域成分の各セットに変換し、
ｉｉ）前記少なくとも１つの送信アンテナ毎に、周波数領域成分のセットから前記送信アンテナに対応する受信された各トレーニングシーケンスを抽出し、
ｉｉｉ）送信アンテナ毎に、受信された各トレーニングシーケンスと周知の各送信トレーニングシーケンスとの間の相関を計算し、
ｉｖ）少なくとも１つの送信アンテナにおいて相関を組み合わせて、候補同期位置毎に全体の相関結果を形成し、
ｂ）複数の相関値から微同期位置を決定する、
ようになっている微同期装置と、
を備え、
少なくとも１つの受信アンテナからの前記微同期位置を組み合わせて全体の微同期位置とするようになっているＯＦＤＭ受信機。
【請求項４５】
少なくとも２つの受信アンテナを有し、前記微同期位置のうちの最も早い位置を選択することにより、少なくとも１つの受信アンテナからの前記微同期位置を組み合わせて全体の微同期位置とするようになっている、請求項４４に記載のＯＦＤＭ受信機。
【請求項４６】
候補同期位置毎に少なくとも１つの送信アンテナにおける相関を一緒に乗算することにより、少なくとも１つの送信アンテナにおいて相関を組み合わせて、候補同期位置毎に全体の相関結果を形成するようになっている、請求項４４に記載のＯＦＤＭ受信機。
【請求項４７】
共通同期チャネル副搬送波上で前記トレーニングシーケンスを受信するようになっている、請求項４４に記載のＯＦＤＭ受信機。
【請求項４８】
専用パイロットチャネル副搬送波上で前記トレーニングシーケンスを受信するようになっている、請求項４４に記載のＯＦＤＭ受信機。
【請求項４９】
微同期を行なう方法であって、
少なくとも１つの受信アンテナのそれぞれで、少なくとも１つの送信アンテナ毎に受けた各周波数領域トレーニングシーケンスを含むＯＦＤＭシンボルを受信し、
周知の周波数領域トレーニングシーケンスと受信した周波数領域トレーニングシーケンスとの間で最大相関を見つけることにより、周波数領域で微同期を行なう
ことを含む方法。
【請求項５０】
微同期を可能にする信号を送信する方法であって、
少なくとも１つの送信アンテナのそれぞれから、各周波数領域トレーニングシーケンスを含むＯＦＤＭシンボルを送信することを含む方法。
【請求項５１】
異なる周波数領域トレーニングシーケンスは各送信アンテナによって送信されるが、同じ周波数領域トレーニングシーケンスは、他の送信機の対応するアンテナによって送信される、請求項５０に記載の方法。
【請求項５２】
ＯＦＤＭ受信機でセル選択を行なう方法であって、
少なくとも１つの送信アンテナのそれぞれで、受信信号をサンプリングして、時間領域サンプルの各セットを形成し、
少なくとも１つの粗同期位置を決定し、
少なくとも１つの受信アンテナのそれぞれで、
ａ）受信信号内の共通同期チャネル副搬送波から抽出された少なくとも１つの受信した共通同期シーケンスと、複数の送信アンテナのそれぞれに対応する共通同期シーケンスとの間で周波数領域相関を行なうことにより、複数の候補相関ピークを特定し、
ｂ）更なる処理のために、Ｍ個の最も強い相関ピークを選択し、
ｃ）各相関ピークで、時間領域サンプルを周波数領域成分に再変換するとともに、送信機固有の情報を含むパイロットチャネル副搬送波を処理して、各相関ピークに関連付けられた送信機を特定し、
ｄ）そのように特定された各送信機においてＣ／Ｉまたは同様の値を決定し、
任意の少なくとも１つの受信アンテナにおいて決定されたＣ／Ｉが最も大きい送信機を選択する、
ことを含む方法。
【請求項５３】
受信信号内の共通同期チャネル副搬送波から抽出された少なくとも１つの受信した共通同期シーケンスと、複数の送信アンテナのそれぞれに対応する共通同期シーケンスとの間で周波数領域相関を行なうことにより、複数の候補相関ピークを特定することは、
ａ）前記少なくとも１つの粗同期位置のうちの１つに関する複数の各候補微同期位置のそれぞれにおいて、
ｉ）受信アンテナ毎に、前記候補微同期位置に対してＦＦＴウインドウを位置決めするとともに、ＦＦＴにより、前記時間領域サンプルを周波数領域成分の各セットに変換し、
ｉｉ）少なくとも１つの送信機のそれぞれの送信アンテナによって送信された少なくとも１つの共通同期シーケンス毎に、前記周波数領域成分のセットから該送信アンテナに対応する受信された各トレーニングシーケンスを抽出し、
ｉｉｉ）少なくとも１つの共通同期シーケンス毎に、受信された各共通同期シーケンスと周知の各共通同期シーケンスとの間の相関を計算し、
ｉｖ）相関を組み合わせて、候補同期位置毎に全体の相関結果を形成し、
ｂ）相関の極大値である少なくとも１つのピークを相関において決定する、
ことを含む、請求項５２に記載の方法。
【請求項５４】
選択された送信機の前記微同期位置に基づいて、時間領域サンプルを周波数領域成分に再変換するとともに、その送信機における専用のパイロットチャネルに基づいて更なる微同期を行なうことを更に含む、請求項５３に記載の方法。
【請求項５５】
ヘッダシンボルの副搬送波が複数のアンテナのそれぞれにおいて非連続の副搬送波のセットに分割され、各アンテナは、副搬送波の各セット上でのみヘッダシンボルを送信し、前記ヘッダシンボルは、多重化されたパイロットチャネル副搬送波と、複数のアンテナのそれぞれにおいて共通同期チャネル副搬送波とを含み、前記フレームは、２つの同一のヘッダＯＦＤＭシンボルから始まり、そのヘッダＯＦＤＭシンボル中において、前記パイロットチャネル副搬送波のコンテンツが繰り返されるとともに、前記同期チャネル副搬送波のコンテンツが繰り返され、前記共通同期チャネル副搬送波は、１つの基地局のアンテナ毎に異なるが複数の基地局にわたって共通の複合シーケンスを搬送し、前記専用パイロットチャネル副搬送波のコンテンツは、少なくとも局所的に特定の基地局に固有のものである、ヘッダシンボルフォーマットを有するＭＩＭＯ−ＯＦＤＭフレームフォーマットに適用される、請求項５４に記載の方法。
【請求項５６】
送信機の切換えのため、そのように特定された送信機毎に、Ｃ／Ｉまたは同様の値を所定の時間にわたって平均化し、その時間の最後に、現在選択されて送信されたものと異なる場合には、最も大きい平均Ｃ／Ｉまたは同様の値を用いて前記送信機の送信機スイッチを起動させることを更に含む、請求項５２に記載の方法。
【国際調査報告】
2005506757.tif 000093
2005506757.tif 000094
2005506757.tif 000095
2005506757.tif 000096
2005506757.tif 000097
2005506757.tif 000098
2005506757.tif 000099
2005506757.tif 000100
2005506757.tif 000101
2005506757.tif 000102